(57)【特許請求の範囲】
【請求項１】
ワイヤレス通信システムに対する混合されたレガシー帯域幅キャリアシステムとフレキシブル帯域幅キャリアシステムの間の移行を管理するモビリティ管理のためにネットワークノードで実行される方法であって、
モビリティ管理をするための１つまたは複数のユーザ機器（ＵＥ）に対する第１のフレキシブル帯域幅キャリアに関する支援情報を決定することと、ここにおいて、前記第１のフレキシブル帯域幅キャリアに対する第１のフレキシブル帯域幅を生成するために帯域幅スケーリング係数が利用され、ここにおいて、前記第１のフレキシブル帯域幅キャリアはレガシー帯域幅キャリアに対する前記第１のフレキシブル帯域幅キャリアのチップレートをスケーリングすることを通じて通常帯域幅キャリアに対して生成され、
前記モビリティ管理をするために前記１つまたは複数のＵＥに前記第１のフレキシブル帯域幅キャリアに関する前記支援情報を送信することと、ここにおいて、前記第１のフレキシブル帯域幅キャリアに関する前記支援情報は、前記帯域幅スケーリング係数を含む、
を備える、方法。
【請求項２】
前記モビリティ管理をするために前記１つまたは複数のＵＥに対して前記第１のフレキシブル帯域幅キャリアに関する前記支援情報を送信することは、
前記モビリティ管理をするために前記１つまたは複数のＵＥに対して前記第１のフレキシブル帯域幅キャリアに関連付けられている前記帯域幅スケーリング係数を送信することを備える請求項１に記載の方法。
【請求項３】
前記モビリティ管理をするために前記１つまたは複数のＵＥに対して前記第１のフレキシブル帯域幅キャリアに関する前記支援情報を送信することは、
前記第１のフレキシブル帯域幅キャリアの少なくとも１つまたは複数の識別子を含むＵＥ中心アプローチと整合している支援情報を送信することを備え、前記１つまたは複数の識別子は、前記第１のフレキシブル帯域幅キャリアの少なくともキャリア周波数またはプライマリスクランブリングコードを含み、ここにおいて、前記ＵＥ中心アプローチにおいて、前記ＵＥは、前記支援情報をアイドルモードで読み取る、請求項１に記載の方法。
【請求項４】
前記モビリティ管理をするために前記１つまたは複数のＵＥに対して前記第１のフレキシブル帯域幅キャリアに関する前記支援情報を送信することは、
前記第１のフレキシブル帯域幅キャリアに関連付けられている少なくとも１つまたは複数の帯域幅スケーリング係数を含むネットワーク中心アプローチと整合している支援情報を送信することを備え、ここにおいて、前記ネットワーク中心アプローチにおいて、フレキシブル帯域幅ＵＥは前記支援情報を読み取り、非フレキシブル帯域幅ＵＥは前記支援情報を読み取らない、
請求項１に記載の方法。
【請求項５】
前記モビリティ管理をするために前記１つまたは複数のＵＥに対して前記第１のフレキシブル帯域幅キャリアに関する前記支援情報を送信することは、
前記第１のフレキシブル帯域幅キャリアを識別するために１つまたは複数のＰＬＭＮ  ＩＤを含むネットワーク中心アプローチと整合している支援情報を決定することを備え、ここにおいて、前記ネットワーク中心アプローチにおいて、フレキシブル帯域幅ＵＥは前記支援情報を読み取り、非フレキシブル帯域幅ＵＥは前記支援情報を読み取らない、請求項１に記載の方法。
【請求項６】
前記モビリティ管理をするために前記１つまたは複数のＵＥに対して前記第１のフレキシブル帯域幅キャリアに関する前記支援情報を送信することは、
前記第１のフレキシブル帯域幅キャリアに関する前記支援情報を伝達するために１つまたは複数のＳＩＢを送信することを備える請求項１に記載の方法。
【請求項７】
前記モビリティ管理をするために前記１つまたは複数のＵＥに対して前記第１のフレキシブル帯域幅キャリアに関する前記支援情報を送信することは、
少なくともＳＭＳ、データメッセージ、またはＯＭＡデバイス管理メッセージを前記第１のフレキシブル帯域幅キャリアに関連付けられている支援情報とともに含むアプリケーション層ベースの情報を送信することを備える請求項１に記載の方法。
【請求項８】
前記モビリティ管理をするための前記支援情報は、前記第１のフレキシブル帯域幅キャリアと第２のフレキシブル帯域幅キャリアとの間の移行を管理し、前記第１のフレキシブル帯域幅キャリアおよび前記第２のフレキシブル帯域幅キャリアは、同じ帯域幅スケーリング係数を利用する請求項１に記載の方法。
【請求項９】
前記モビリティ管理をするための前記支援情報は、前記第１のフレキシブル帯域幅キャリアと第２のフレキシブル帯域幅キャリアとの間の移行を管理し、前記第１のフレキシブル帯域幅キャリアおよび前記第２のフレキシブル帯域幅キャリアは、異なる帯域幅スケーリング係数を利用する請求項１に記載の方法。
【請求項１０】
前記モビリティ管理をするための前記支援情報は、前記第１のフレキシブル帯域幅キャリアとレガシー帯域幅キャリアとの間の移行を管理する請求項１に記載の方法。
【請求項１１】
前記モビリティ管理をするための前記１つまたは複数のＵＥに対する少なくとも第２のフレキシブル帯域幅キャリアに関する支援情報を決定することであって、前記第２のフレキシブル帯域幅キャリアに対するフレキシブル帯域幅を生成するために第２の帯域幅スケーリング係数が利用される、決定することと、
前記モビリティ管理をするために前記１つまたは複数のＵＥに少なくとも前記第２のフレキシブル帯域幅キャリアに関する前記支援情報を送信することと、ここにおいて、少なくとも第２のフレキシブル帯域幅キャリアに関する支援情報は前記第２の帯域幅スケーリング係数を含む、
をさらに備える請求項１に記載の方法。
【請求項１２】
前記モビリティ管理をするために前記１つまたは複数のＵＥに前記第１のフレキシブル帯域幅キャリアに関する前記支援情報を送信することは、
前記第１のフレキシブル帯域幅キャリアと異なる第１の帯域幅キャリア上で前記支援情報を送信することを備える請求項１に記載の方法。
【請求項１３】
前記第１のフレキシブル帯域幅キャリアと異なる前記第１の帯域幅キャリア上で前記支援情報を送信することは、
前記レガシー帯域幅キャリア上で前記支援情報を送信することを備える請求項１２に記載の方法。
【請求項１４】
前記第１のフレキシブル帯域幅キャリアと異なる前記第１の帯域幅キャリア上で前記支援情報を送信することは、
第２のフレキシブル帯域幅キャリア上で前記支援情報を送信することを備える請求項１２に記載の方法。
【請求項１５】
前記第１のフレキシブル帯域幅キャリアは、第１のフレキシブル帯域幅セルに関連付けられる請求項１に記載の方法。
【請求項１６】
ワイヤレス通信システムに対する混合されたレガシー帯域幅キャリアシステムとフレキシブル帯域幅キャリアシステムの間の移行を管理するモビリティ管理の方法であって、
前記モビリティ管理をするための第１のフレキシブル帯域幅キャリアに関する支援情報を受信することと、ここにおいて、前記第１のフレキシブル帯域幅キャリアに対する第１のフレキシブル帯域幅を生成するために帯域幅スケーリング係数が利用され、ここにおいて、前記第１のフレキシブル帯域幅キャリアはレガシー帯域幅キャリアに対する前記第１のフレキシブル帯域幅キャリアのチップレートをスケーリングすることを通じて通常帯域幅キャリアに対して生成され、
前記モビリティ管理をするための前記第１のフレキシブル帯域幅キャリアに関する前記支援情報を利用することと、ここにおいて、前記第１のフレキシブル帯域幅キャリアに関する支援情報は、前記帯域幅スケーリング係数を備える、
を備える方法。
【請求項１７】
前記モビリティ管理をするために前記第１のフレキシブル帯域幅キャリアに関する前記支援情報を受信することは、
前記モビリティ管理をするために前記第１のフレキシブル帯域幅キャリアに関連付けられている前記帯域幅スケーリング係数を受信することを備える請求項１６に記載の方法。
【請求項１８】
前記モビリティ管理をするために前記第１のフレキシブル帯域幅キャリアに関する前記支援情報を受信することは、
前記第１のフレキシブル帯域幅キャリアの少なくとも１つまたは複数の識別子を含むＵＥ中心アプローチと整合している支援情報を受信することを備え、前記１つまたは複数の識別子は、前記第１のフレキシブル帯域幅キャリアの少なくともキャリア周波数またはプライマリスクランブリングコードを含み、ここにおいて、前記ＵＥ中心アプローチにおいて、前記ＵＥは、前記支援情報をアイドルモードで読み取る、請求項１６に記載の方法。
【請求項１９】
前記モビリティ管理をするために前記第１のフレキシブル帯域幅キャリアに関する前記支援情報を受信することは、
前記第１のフレキシブル帯域幅キャリアに関連付けられている少なくとも１つまたは複数の帯域幅スケーリング係数を含むネットワーク中心アプローチと整合している支援情報を受信することを備え、ここにおいて、前記ネットワーク中心アプローチにおいて、フレキシブル帯域幅ＵＥは前記支援情報を読み取り、非フレキシブル帯域幅ＵＥは前記支援情報を読み取らない、請求項１６に記載の方法。
【請求項２０】
前記モビリティ管理をするために前記第１のフレキシブル帯域幅キャリアに関する前記支援情報を受信することは、
前記第１のフレキシブル帯域幅キャリアを識別するために１つまたは複数のＰＬＭＮ  ＩＤを含むネットワーク中心アプローチと整合している支援情報を受信することを備え、ここにおいて、前記ネットワーク中心アプローチにおいて、フレキシブル帯域幅ＵＥは前記支援情報を読み取り、非フレキシブル帯域幅ＵＥは前記支援情報を読み取らない、請求項１６に記載の方法。
【請求項２１】
前記モビリティ管理をするために前記第１のフレキシブル帯域幅キャリアに関する前記支援情報を受信することは、
前記第１のフレキシブル帯域幅キャリアに関する前記支援情報を伝達する１つまたは複数のＳＩＢを受信することを備える請求項１６に記載の方法。
【請求項２２】
前記モビリティ管理をするために前記第１のフレキシブル帯域幅キャリアに関する前記支援情報を受信することは、
少なくともＳＭＳ、データメッセージ、またはＯＭＡデバイス管理メッセージを前記第１のフレキシブル帯域幅キャリアに関連付けられている支援情報とともに含むアプリケーション層ベースの情報を受信することを備える請求項１６に記載の方法。
【請求項２３】
前記モビリティ管理をするための前記支援情報は、前記第１のフレキシブル帯域幅キャリアと第２のフレキシブル帯域幅キャリアとの間の移行を管理し、前記第１のフレキシブル帯域幅キャリアおよび前記第２のフレキシブル帯域幅キャリアは、同じ帯域幅スケーリング係数を利用する請求項１６に記載の方法。
【請求項２４】
前記モビリティ管理をするための前記支援情報は、前記第１のフレキシブル帯域幅キャリアと第２のフレキシブル帯域幅キャリアとの間の移行を管理し、前記第１のフレキシブル帯域幅キャリアおよび前記第２のフレキシブル帯域幅キャリアは、異なる帯域幅スケーリング係数を利用する請求項１６に記載の方法。
【請求項２５】
前記モビリティ管理をするための前記支援情報は、前記フレキシブル帯域幅キャリアとレガシー帯域幅キャリアとの間の移行を管理する請求項１６に記載の方法。
【請求項２６】
前記モビリティ管理をするための少なくとも第２のフレキシブル帯域幅キャリアに関する支援情報を受信することであって、前記第２のフレキシブル帯域幅キャリアに対するフレキシブル帯域幅を生成するために第２の帯域幅スケーリング係数が利用される、受信することと、
前記モビリティ管理をするための少なくとも前記第２のフレキシブル帯域幅キャリアに関する前記支援情報を利用することと、ここにおいて、前記第２のフレキシブル帯域幅キャリアに関する支援情報は前記第２の帯域幅スケーリング係数を含む、
をさらに備える請求項１６に記載の方法。
【請求項２７】
前記モビリティ管理をするために前記第１のフレキシブル帯域幅キャリアに関する前記支援情報を受信することは、
前記第１のフレキシブル帯域幅キャリアと異なる第１の帯域幅キャリア上で前記支援情報を受信することを備える請求項１６に記載の方法。
【請求項２８】
前記第１のフレキシブル帯域幅キャリアと異なる前記第１の帯域幅キャリア上で前記支援情報を受信することは、
前記レガシー帯域幅キャリア上で前記支援情報を受信することを備える請求項２７に記載の方法。
【請求項２９】
前記第１のフレキシブル帯域幅キャリアと異なる前記第１の帯域幅キャリア上で前記支援情報を受信することは、
第２のフレキシブル帯域幅キャリア上で前記支援情報を受信することを備える請求項２７に記載の方法。
【請求項３０】
前記第１のフレキシブル帯域幅キャリアは、第１のフレキシブル帯域幅セルに関連付けられる請求項１６に記載の方法。
【請求項３１】
前記支援情報を受信することおよび前記支援情報を利用することは、ユーザ機器（ＵＥ）において行われる請求項１６に記載の方法。
【請求項３２】
ワイヤレス通信に対して混合されたレガシー帯域幅キャリアシステムとフレキシブル帯域幅キャリアシステムの間の移行を管理するモビリティ管理を行うように構成されたワイヤレス通信システムのネットワークノードであって、
前記モビリティ管理をするための１つまたは複数のユーザ機器（ＵＥ）に対する第１のフレキシブル帯域幅キャリアに関する支援情報を決定するための手段と、ここにおいて、前記第１のフレキシブル帯域幅キャリアに対する第１のフレキシブル帯域幅を生成するために帯域幅スケーリング係数が利用され、ここにおいて、前記第１のフレキシブル帯域幅キャリアはレガシー帯域幅キャリアに対する前記第１のフレキシブル帯域幅キャリアのチップレートをスケーリングすることを通じて通常帯域幅キャリアに対して生成され、
前記モビリティ管理をするために前記１つまたは複数のＵＥに前記第１のフレキシブル帯域幅キャリアに関する前記支援情報を送信するための手段と、ここにおいて、前記第１のフレキシブル帯域幅キャリアに関する前記支援情報は、前記帯域幅スケーリング係数を含む、
を備えるワイヤレス通信システムのネットワークノード。
【請求項３３】
前記モビリティ管理をするための前記１つまたは複数のＵＥに対する少なくとも第２のフレキシブル帯域幅キャリアに関する支援情報を決定するための手段であって、前記第２のフレキシブル帯域幅キャリアに対するフレキシブル帯域幅を生成するために第２の帯域幅スケーリング係数が利用される、手段と、
前記モビリティ管理をするために前記１つまたは複数のＵＥに少なくとも前記第２のフレキシブル帯域幅キャリアに関する前記支援情報を送信する手段と、ここにおいて、前記第２のフレキシブル帯域幅キャリアに関する支援情報は前記第２の帯域幅スケーリング係数を含む、
をさらに備える請求項３２に記載のワイヤレス通信システムのネットワークノード。
【請求項３４】
前記モビリティ管理をするために前記１つまたは複数のＵＥに前記第１のフレキシブル帯域幅キャリアに関する前記支援情報を送信するための前記手段は、
前記第１のフレキシブル帯域幅キャリアと異なる第１の帯域幅キャリア上で前記支援情報を送信するための手段を備える請求項３２に記載のワイヤレス通信システムのネットワークノード。
【請求項３５】
前記第１のフレキシブル帯域幅キャリアと異なる前記第１の帯域幅キャリア上で前記支援情報を送信するための前記手段は、
前記レガシー帯域幅キャリア上で前記支援情報を送信するための手段を備える請求項３４に記載のワイヤレス通信システムのネットワークノード。
【請求項３６】
前記第１のフレキシブル帯域幅キャリアと異なる前記第１の帯域幅キャリア上で前記支援情報を送信するための前記手段は、
第２のフレキシブル帯域幅キャリア上で前記支援情報を送信するための手段を備える請求項３４に記載のワイヤレス通信システムのネットワークノード。
【請求項３７】
ワイヤレス通信システムに対する混合されたレガシー帯域幅キャリアシステムとフレキシブル帯域幅キャリアシステムの間の移行を管理するモビリティ管理のためのコードを記録したコンピュータ読取可能記録媒体であって、前記コードは、
前記モビリティ管理をするための１つまたは複数のユーザ機器（ＵＥ）に対する第１のフレキシブル帯域幅キャリアに関する支援情報を決定することと、ここにおいて、前記第１のフレキシブル帯域幅キャリアに対する第１のフレキシブル帯域幅を生成するために帯域幅スケーリング係数が利用され、ここにおいて、前記第１のフレキシブル帯域幅キャリアはレガシー帯域幅キャリアに対する前記第１のフレキシブル帯域幅キャリアのチップレートをスケーリングすることを通じて通常帯域幅キャリアに対して生成され、
前記モビリティ管理をするために前記１つまたは複数のＵＥに前記第１のフレキシブル帯域幅キャリアに関する前記支援情報を送信することと、ここにおいて、前記第１のフレキシブル帯域幅キャリアに関する前記支援情報は、前記帯域幅スケーリング係数を含む、
がネットワークによって実行可能である、コンピュータ読取可能記録媒体。
【請求項３８】
前記モビリティ管理をするための前記１つまたは複数のＵＥに対する少なくとも第２のフレキシブル帯域幅キャリアに関する支援情報を決定することと、前記第２のフレキシブル帯域幅キャリアに対するフレキシブル帯域幅を生成するために第２の帯域幅スケーリング係数が利用される、
前記モビリティ管理をするために前記１つまたは複数のＵＥに少なくとも前記第２のフレキシブル帯域幅キャリアに関する前記支援情報を送信することと、ここにおいて、前記第２のフレキシブル帯域幅キャリアに関する支援情報は前記第２の帯域幅スケーリング係数を含む、
が実行可能なコードをさらに備える請求項３７に記載のコンピュータ読取可能記録媒体。
【請求項３９】
前記モビリティ管理をするために前記１つまたは複数のＵＥに前記第１のフレキシブル帯域幅キャリアに関する前記支援情報を送信することが実行可能な前記コードは、
前記第１のフレキシブル帯域幅キャリアと異なる第１の帯域幅キャリア上で前記支援情報を送信することがさらに実行可能な請求項３７に記載のコンピュータ読取可能記録媒体。
【請求項４０】
前記第１のフレキシブル帯域幅キャリアと異なる前記第１の帯域幅キャリア上で前記支援情報を送信することが実行可能な前記コードは、
前記レガシー帯域幅キャリア上で前記支援情報を送信することがさらに実行可能な請求項３９に記載のコンピュータ読取可能記録媒体。
【請求項４１】
前記第１のフレキシブル帯域幅キャリアと異なる前記第１の帯域幅キャリア上で前記支援情報を送信することが実行可能な前記コードは、
第２のフレキシブル帯域幅キャリア上で前記支援情報を送信することがさらに実行可能な請求項３９に記載のコンピュータ読取可能記録媒体。
【請求項４２】
ワイヤレス通信システムに対して混合されたレガシー帯域幅キャリアシステムとフレキシブル帯域幅キャリアシステムの間の移行を管理するモビリティ管理を行うように構成されたネットワークノードを備えるワイヤレス通信デバイスであって、
前記モビリティ管理をするための１つまたは複数のユーザ機器（ＵＥ）に対する第１のフレキシブル帯域幅キャリアに関する支援情報を決定することと、ここにおいて、前記第１のフレキシブル帯域幅キャリアに対する第１のフレキシブル帯域幅を生成するために帯域幅スケーリング係数が利用され、ここにおいて、前記第１のフレキシブル帯域幅キャリアはレガシー帯域幅キャリアに対する前記第１のフレキシブル帯域幅キャリアのチップレートをスケーリングすることを通じて通常帯域幅キャリアに対して生成され、
前記モビリティ管理をするために前記１つまたは複数のＵＥに前記第１のフレキシブル帯域幅キャリアに関する前記支援情報を送信することと、
を行うように構成された少なくとも１つのプロセッサと、ここにおいて、前記第１のフレキシブル帯域幅キャリアに関する前記支援情報は、前記帯域幅スケーリング係数を含み、
前記少なくとも１つのプロセッサに結合された少なくとも１つのメモリと、を備えるワイヤレス通信デバイス。
【請求項４３】
前記少なくとも１つのプロセッサは、
前記モビリティ管理をするための前記１つまたは複数のＵＥに対する少なくとも第２のフレキシブル帯域幅キャリアに関する支援情報を決定することであって、前記第２のフレキシブル帯域幅キャリアに対するフレキシブル帯域幅を生成するために第２の帯域幅スケーリング係数が利用される、決定することと、
前記モビリティ管理をするために前記１つまたは複数のＵＥに少なくとも前記第２のフレキシブル帯域幅キャリアに関する前記支援情報を送信することと、ここにおいて、前記第２のフレキシブル帯域幅キャリアに関する支援情報は前記第２の帯域幅スケーリング係数を含む、
を行うようにさらに構成される請求項４２に記載のワイヤレス通信デバイス。
【請求項４４】
前記モビリティ管理をするために前記１つまたは複数のＵＥに前記第１のフレキシブル帯域幅キャリアに関する前記支援情報を送信するように構成された前記少なくとも１つのプロセッサは、
前記第１のフレキシブル帯域幅キャリアと異なる第１の帯域幅キャリア上で前記支援情報を送信するように構成される請求項４２に記載のワイヤレス通信デバイス。
【請求項４５】
前記第１のフレキシブル帯域幅キャリアと異なる前記第１の帯域幅キャリア上で前記支援情報を送信するように構成された前記少なくとも１つのプロセッサは、
前記レガシー帯域幅キャリア上で前記支援情報を送信するように構成される請求項４４に記載のワイヤレス通信デバイス。
【請求項４６】
前記第１のフレキシブル帯域幅キャリアと異なる前記第１の帯域幅キャリア上で前記支援情報を送信するように構成された前記少なくとも１つのプロセッサは、
第２のフレキシブル帯域幅キャリア上で前記支援情報を送信するように構成される請求項４４に記載のワイヤレス通信デバイス。
【請求項４７】
ワイヤレス通信に対して混合されたレガシー帯域幅キャリアシステムとフレキシブル帯域幅キャリアシステムの間の移行を管理するモビリティ管理を行うように構成されたワイヤレス通信システムであって、
前記モビリティ管理をするための第１のフレキシブル帯域幅キャリアに関する支援情報を受信するための手段と、ここにおいて、前記第１のフレキシブル帯域幅キャリアに対する第１のフレキシブル帯域幅を生成するために帯域幅スケーリング係数が利用され、ここにおいて、前記第１のフレキシブル帯域幅キャリアはレガシー帯域幅キャリアに対する前記第１のフレキシブル帯域幅キャリアのチップレートをスケーリングすることを通じて通常帯域幅キャリアに対して生成され、
前記モビリティ管理をするための前記第１のフレキシブル帯域幅キャリアに関する前記支援情報を利用するための手段と、ここにおいて、前記第１のフレキシブル帯域幅キャリアに関する支援情報は、前記帯域幅スケーリング係数を備える、
を備えるワイヤレス通信システム。
【請求項４８】
前記モビリティ管理をするために前記第１のフレキシブル帯域幅キャリアに関する前記支援情報を受信するための前記手段は、
前記第１のフレキシブル帯域幅キャリアと異なる第１の帯域幅キャリア上で前記支援情報を受信するための手段を備える請求項４７に記載のワイヤレス通信システム。
【請求項４９】
前記第１のフレキシブル帯域幅キャリアと異なる前記第１の帯域幅キャリア上で前記支援情報を受信するための前記手段は、
前記レガシー帯域幅キャリア上で前記支援情報を受信するための手段を備える請求項４８に記載のワイヤレス通信システム。
【請求項５０】
前記第１のフレキシブル帯域幅キャリアと異なる前記第１の帯域幅キャリア上で前記支援情報を受信するための前記手段は、
第２のフレキシブル帯域幅キャリア上で前記支援情報を受信するための手段を備える請求項４８に記載のワイヤレス通信システム。
【請求項５１】
ワイヤレス通信システムに対する混合されたレガシー帯域幅キャリアシステムとフレキシブル帯域幅キャリアシステムの間の移行を管理するモビリティ管理のためのコンピュータ読取可能記録媒体であって、
前記モビリティ管理をするための第１のフレキシブル帯域幅キャリアに関する支援情報を受信するためのコードと、ここにおいて、前記第１のフレキシブル帯域幅キャリアに対する第１のフレキシブル帯域幅を生成するために帯域幅スケーリング係数が利用され、ここにおいて、前記第１のフレキシブル帯域幅キャリアはレガシー帯域幅キャリアに対する前記第１のフレキシブル帯域幅キャリアのチップレートをスケーリングすることを通じて通常帯域幅キャリアに対して生成され、
前記モビリティ管理をするための前記第１のフレキシブル帯域幅キャリアに関する前記支援情報を利用するためのコードと、ここにおいて、前記第１のフレキシブル帯域幅キャリアに関する支援情報は、前記帯域幅スケーリング係数を備える、
を備えるコンピュータ読取可能記録媒体。
【請求項５２】
前記モビリティ管理をするために前記第１のフレキシブル帯域幅キャリアに関する前記支援情報を受信するための前記コードは、
前記第１のフレキシブル帯域幅キャリアと異なる第１の帯域幅キャリア上で前記支援情報を受信するためのコードを備える請求項５１に記載のコンピュータ読取可能記録媒体。
【請求項５３】
前記第１のフレキシブル帯域幅キャリアと異なる前記第１の帯域幅キャリア上で前記支援情報を受信するための前記コードは、
前記レガシー帯域幅キャリア上で前記支援情報を受信するためのコードを備える請求項５２に記載のコンピュータ読取可能記録媒体。
【請求項５４】
前記第１のフレキシブル帯域幅キャリアと異なる前記第１の帯域幅キャリア上で前記支援情報を受信するための前記コードは、
第２のフレキシブル帯域幅キャリア上で前記支援情報を受信するためのコードを備える請求項５２に記載のコンピュータ読取可能記録媒体。
【請求項５５】
ワイヤレス通信システムに対して混合されたレガシー帯域幅キャリアシステムとフレキシブル帯域幅キャリアシステムの間の移行を管理するモビリティ管理を行うように構成されたワイヤレス通信デバイスであって、
前記モビリティ管理をするための第１のフレキシブル帯域幅キャリアに関する支援情報を受信することと、ここにおいて、前記第１のフレキシブル帯域幅キャリアに対する第１のフレキシブル帯域幅を生成するために帯域幅スケーリング係数が利用され、ここにおいて、前記第１のフレキシブル帯域幅キャリアはレガシー帯域幅キャリアに対する前記第１のフレキシブル帯域幅キャリアのチップレートをスケーリングすることを通じて通常帯域幅キャリアに対して生成され、
前記モビリティ管理をするための前記第１のフレキシブル帯域幅キャリアに関する前記支援情報を利用することとを行うように構成された少なくとも１つのプロセッサと、ここにおいて、前記第１のフレキシブル帯域幅キャリアに関する支援情報は、前記帯域幅スケーリング係数を備え、
前記少なくとも１つのプロセッサに結合された少なくとも１つのメモリとを備えるワイヤレス通信デバイス。
【請求項５６】
前記モビリティ管理をするために前記第１のフレキシブル帯域幅キャリアに関する前記支援情報を受信するように構成された前記少なくとも１つのプロセッサは、
前記第１のフレキシブル帯域幅キャリアと異なる第１の帯域幅キャリア上で前記支援情報を受信するように構成される請求項５５に記載のワイヤレス通信デバイス。
【請求項５７】
前記第１のフレキシブル帯域幅キャリアと異なる前記第１の帯域幅キャリア上で前記支援情報を受信するように構成された前記少なくとも１つのプロセッサは、
前記レガシー帯域幅キャリア上で前記支援情報を受信するように構成される請求項５６に記載のワイヤレス通信デバイス。
【請求項５８】
前記第１のフレキシブル帯域幅キャリアと異なる前記第１の帯域幅キャリア上で前記支援情報を受信するように構成された前記少なくとも１つのプロセッサは、
第２のフレキシブル帯域幅キャリア上で前記支援情報を受信するように構成される請求項５６に記載のワイヤレス通信デバイス。
【発明の詳細な説明】
【技術分野】
【０００１】
相互関連出願
本特許出願は、本特許出願の譲受人に譲渡され、すべての目的に関して参照により本明細書に明確に組み込まれている、２０１１年１１月７日に出願した仮出願第６１／５５６，７７７号、名称「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」の優先権を主張するものである。本特許出願は、本特許出願の譲受人に譲渡され、すべての目的に関して参照により明確に本明細書に組み込まれている、２０１１年１２月９日に出願した仮出願第６１／５６８，７４２号、名称「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」の優先権も主張するものである。本特許出願は、本特許出願の譲受人に譲渡され、すべての目的に関して参照により明確に本明細書に組み込まれている、２０１２年３月６日に出願した仮出願第６１／６０７，５０２号、名称「ＭＯＢＩＬＩＴＹ  ＭＡＮＡＧＥＭＥＮＴ  ＦＯＲ  ＦＬＥＸＩＢＬＥ  ＢＡＮＤＷＩＤＴＨ  ＳＹＳＴＥＭＳ  ＡＮＤ  ＤＥＶＩＣＥＳ」の優先権も主張するものである。
【背景技術】
【０００２】
ワイヤレス通信システムは、たとえば、音声、ビデオ、パケットデータ、メッセージング、放送番組などの様々な種類の通信コンテンツを提供するため広く展開されている。これらのシステムは、利用可能なシステムリソース（たとえば、時間、周波数、および電力）を共有することによって複数のユーザとの通信をサポートすることができる多元接続システムであるものとしてよい。このような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムが挙げられる。
【０００３】
サービスプロバイダは、典型的には、いくつかの地理的地域において排他的に使用するための周波数スペクトルのブロックを割り振られる。これらの周波数のブロックは、一般的に、使用されている複数の多元接続技術に関係なく監督規制機関によって割り当てられる。ほとんどの場合において、これらのブロックは、チャネル帯域幅の整数倍ではなく、したがって、スペクトルの利用されていない部分があり得る。ワイヤレスデバイスの使用が増えたことで、このスペクトルの需要と価値も、同様に急上昇している。しかしながら、いくつかの場合において、ワイヤレス通信システムは割り振られたスペクトルの部分を、それらの部分が標準または通常波形に適合するほど十分には大きくないので利用しないことがある。たとえば、ＬＴＥ標準の開発者は、この問題を認識して、６つの異なるシステム帯域幅、すなわち、１．４、３、５、１０、１５、および２０ＭＨｚをサポートすることを決定した。別のアプローチとして、通常波形に適合しない可能性のあるスペクトルの部分を利用するワイヤレス通信システムを伴い得るフレキシブル帯域幅キャリアシステムを利用することが挙げられる。しかし、混合されたレガシー帯域幅キャリアシステムとフレキシブル帯域幅キャリアシステム（mixed legacy and flexible bandwidth carrier systems）の間の移行を円滑にするなど、フレキシブル帯域幅キャリアシステムを利用したときに異なるモビリティ管理問題が生じ得る。
【発明の概要】
【０００４】
フレキシブル帯域幅キャリアを利用するワイヤレス通信システムに対するモビリティ管理のための方法、システム、およびデバイスが提供される。いくつかの実施形態は、フレキシブル帯域幅キャリアに関するモビリティ管理を円滑にするための支援情報を決定し、１つまたは複数のユーザ機器（ＵＥ）に送信することを含む。いくつかの実施形態は、フレキシブル帯域幅キャリア情報をＵＥに送信することを含むが、その際に、ＵＥ中心アプローチ、ネットワーク中心アプローチ、ＰＬＭＮを使用するネットワーク中心アプローチ、新しいＳＩＢ作成アプローチ、および／またはアプリケーション層アプローチを利用する。いくつかの実施形態は、フレキシブル帯域幅キャリアに関するモビリティ管理を円滑にするための１つまたは複数のＵＥに対する支援情報を受信し、利用するための方法と、システムと、デバイスとを含む。
【０００５】
いくつかの実施形態は、混合されたレガシーおよび／またはフレキシブル帯域幅キャリアシステムに対するモビリティ管理を行う。フレキシブル帯域幅キャリアシステムは、フレキシブル波形を利用して通常波形に適合するほど十分には大きくない可能性のあるスペクトルの部分を利用することができるワイヤレス通信システムを伴い得る。フレキシブル帯域幅キャリアシステムは、通常帯域幅キャリアシステムに関してフレキシブル帯域幅キャリアシステムの時間もしくはチップレートのディレーションを生じさせる（dilate）か、またはスケールダウンする（scale down）ことを通じて通常帯域幅キャリアシステムに関して生成され得る。いくつかの実施形態において、フレキシブル帯域幅キャリアシステムは、フレーム長のディレーションを生じさせるか、または通常帯域幅キャリアシステムに関してフレキシブル帯域幅キャリアシステムの帯域幅をスケールダウンすることを通じて通常帯域幅キャリアシステムに関して生成され得る。いくつかの実施形態は、フレキシブル帯域幅キャリアシステムの時間もしくはチップレートを伸長する（expand）か、またはスケールアップする（scale up）ことを通じてフレキシブル波形の帯域幅を増やす（increase）。いくつかの実施形態は、フレーム長を減らす（decrease）か、またはフレキシブル帯域幅キャリアシステムの帯域幅をスケールアップすることを通じてフレキシブル波形の帯域幅を増やす。
【０００６】
いくつかの実施形態は、ワイヤレス通信システムに対するモビリティ管理の方法を含む。この方法は、モビリティ管理を円滑にするための１つまたは複数のユーザ機器（ＵＥ）に対する第１のフレキシブル帯域幅キャリアに関する支援情報を決定することであって、第１のフレキシブル帯域幅キャリアに対する第１のフレキシブル帯域幅を生成するために帯域幅スケーリング係数が利用される、決定すること、および／またはモビリティ管理を円滑にするために１つまたは複数のＵＥに第１のフレキシブル帯域幅キャリアに関する支援情報を送信することを含み得る。
【０００７】
モビリティ管理を円滑にするために１つまたは複数のＵＥに対して第１のフレキシブル帯域幅キャリアに関する支援情報を送信することは、モビリティ管理を円滑にするために１つまたは複数のＵＥに対して第１のフレキシブル帯域幅キャリアに関連付けられている帯域幅スケーリング係数を送信することを含み得る。モビリティ管理を円滑にするために１つまたは複数のＵＥに対して第１のフレキシブル帯域幅キャリアに関する支援情報を送信することは、第１のフレキシブル帯域幅キャリアの少なくとも１つまたは複数の識別子を含むＵＥ中心アプローチと整合している支援情報を送信することを含むことができ、１つまたは複数の識別子は、第１のフレキシブル帯域幅キャリアの少なくともキャリア周波数またはプライマリスクランブリングコードを含む。モビリティ管理を円滑にするために１つまたは複数のＵＥに対して第１のフレキシブル帯域幅キャリアに関する支援情報を送信することは、第１のフレキシブル帯域幅キャリアに関連付けられている少なくとも１つまたは複数の帯域幅スケーリング係数を含むネットワーク中心アプローチと整合している支援情報を送信することを含み得る。モビリティ管理を円滑にするために１つまたは複数のＵＥに対して第１のフレキシブル帯域幅キャリアに関する支援情報を送信することは、第１のフレキシブル帯域幅キャリアを識別するために１つまたは複数のＰＬＭＮ  ＩＤを含むネットワーク中心アプローチと整合している支援情報を送信することを含み得る。モビリティ管理を円滑にするために１つまたは複数のＵＥに対して第１のフレキシブル帯域幅キャリアに関する支援情報を送信することは、第１のフレキシブル帯域幅キャリアに関する支援情報を伝達するために１つまたは複数のＳＩＢを送信することを含み得る。モビリティ管理を円滑にするために１つまたは複数のＵＥに対して第１のフレキシブル帯域幅キャリアに関する支援情報を送信することは、少なくともＳＭＳ、データメッセージ、またはＯＭＡデバイス管理メッセージを第１のフレキシブル帯域幅キャリアに関連付けられている支援情報とともに含むアプリケーション層ベースの情報を送信することを含み得る。
【０００８】
いくつかの実施形態では、モビリティ管理を円滑にするための支援情報は、第１のフレキシブル帯域幅キャリアと第２のフレキシブル帯域幅キャリアとの間のモビリティを円滑にし、第１のフレキシブル帯域幅キャリアおよび第２のフレキシブル帯域幅キャリアは、同じ帯域幅スケーリング係数を利用する。モビリティ管理を円滑にするための支援情報は、第１のフレキシブル帯域幅キャリアと第２のフレキシブル帯域幅キャリアとの間のモビリティを円滑にすることができ、第１のフレキシブル帯域幅キャリアおよび第２のフレキシブル帯域幅キャリアは、異なる帯域幅スケーリング係数を利用する。モビリティ管理を円滑にするための支援情報は、第１のフレキシブル帯域幅キャリアと通常帯域幅キャリアとの間のモビリティを円滑にし得る。
【０００９】
いくつかの実施形態は、モビリティ管理を円滑にするためのＵＥに対する少なくとも第２のフレキシブル帯域幅キャリアに関する支援情報を決定することであって、第２のフレキシブル帯域幅キャリアに対するフレキシブル帯域幅を生成するために第２の帯域幅スケーリング係数が利用される、決定することを含む。少なくとも第２のフレキシブル帯域幅キャリアに関する支援情報は、モビリティ管理を円滑にするために１つまたは複数のＵＥに送信され得る。
【００１０】
モビリティ管理を円滑にするために１つまたは複数のＵＥに第１のフレキシブル帯域幅キャリアに関する支援情報を送信することは、第１のフレキシブル帯域幅キャリアと異なる第１の帯域幅キャリア上で支援情報を送信することを含み得る。第１のフレキシブル帯域幅キャリアと異なる第１の帯域幅キャリア上で支援情報を送信することは、通常帯域幅キャリア上で支援情報を送信することを含み得る。第１のフレキシブル帯域幅キャリアと異なる第１の帯域幅キャリア上で支援情報を送信することは、第２のフレキシブル帯域幅キャリア上で支援情報を送信することを含み得る。いくつかの実施形態では、第１のフレキシブル帯域幅キャリアは、第１のフレキシブル帯域幅セルに関連付けられる。
【００１１】
いくつかの実施形態は、ワイヤレス通信システムに対するモビリティ管理の方法を含む。この方法は、モビリティ管理を円滑にするための第１のフレキシブル帯域幅キャリアに関する支援情報を受信することであって、第１のフレキシブル帯域幅キャリアに対する第１のフレキシブル帯域幅を生成するために帯域幅スケーリング係数が利用される、受信すること、および／またはモビリティ管理を円滑にするための第１のフレキシブル帯域幅キャリアに関する支援情報を利用することを含み得る。
【００１２】
モビリティ管理を円滑にするための第１のフレキシブル帯域幅キャリアに関する支援情報を受信することは、モビリティ管理を円滑にするために第１のフレキシブル帯域幅キャリアに関連付けられている帯域幅スケーリング係数を受信することを含み得る。モビリティ管理を円滑にするための第１のフレキシブル帯域幅キャリアに関する支援情報を受信することは、第１のフレキシブル帯域幅キャリアの少なくとも１つまたは複数の識別子を含むＵＥ中心アプローチと整合している支援情報を受信することを含むことができ、１つまたは複数の識別子は、第１のフレキシブル帯域幅キャリアの少なくともキャリア周波数またはプライマリスクランブリングコードを含む。モビリティ管理を円滑にするための第１のフレキシブル帯域幅キャリアに関する支援情報を受信することは、第１のフレキシブル帯域幅キャリアに関連付けられている少なくとも１つまたは複数の帯域幅スケーリング係数を含むネットワーク中心アプローチと整合している支援情報を受信することを含み得る。モビリティ管理を円滑にするための第１のフレキシブル帯域幅キャリアに関する支援情報を受信することは、第１のフレキシブル帯域幅キャリアを識別するために１つまたは複数のＰＬＭＮ  ＩＤを含むネットワーク中心アプローチと整合している支援情報を受信することを含み得る。モビリティ管理を円滑にするための第１のフレキシブル帯域幅キャリアに関する支援情報を受信することは、第１のフレキシブル帯域幅キャリアに関する支援情報を伝達する１つまたは複数のＳＩＢを受信することを含み得る。モビリティ管理を円滑にするための第１のフレキシブル帯域幅キャリアに関する支援情報を受信することは、少なくともＳＭＳ、データメッセージ、またはＯＭＡデバイス管理メッセージを第１のフレキシブル帯域幅キャリアに関連付けられている支援情報とともに含むアプリケーション層ベースの情報を受信することを含み得る。
【００１３】
モビリティ管理を円滑にするための支援情報は、第１のフレキシブル帯域幅キャリアと第２のフレキシブル帯域幅キャリアとの間のモビリティを円滑にすることができ、第１のフレキシブル帯域幅キャリアおよび第２のフレキシブル帯域幅キャリアは、同じ帯域幅スケーリング係数を利用する。モビリティ管理を円滑にするための支援情報は、第１のフレキシブル帯域幅キャリアと第２のフレキシブル帯域幅キャリアとの間のモビリティを円滑にすることができ、第１のフレキシブル帯域幅キャリアおよび第２のフレキシブル帯域幅キャリアは、異なる帯域幅スケーリング係数を利用する。モビリティ管理を円滑にするための支援情報は、フレキシブル帯域幅キャリアと通常帯域幅キャリアとの間のモビリティを円滑にし得る。
【００１４】
いくつかの実施形態は、モビリティ管理を円滑にするための少なくとも第２のフレキシブル帯域幅キャリアに関する支援情報を受信することであって、第２のフレキシブル帯域幅キャリアに対するフレキシブル帯域幅を生成するために第２の帯域幅スケーリング係数が利用される、受信すること、および／またはモビリティ管理を円滑にするための少なくとも第２のフレキシブル帯域幅キャリアに関する支援情報を利用することを含み得る。
【００１５】
モビリティ管理を円滑にするための第１のフレキシブル帯域幅キャリアに関する支援情報を受信することは、第１のフレキシブル帯域幅キャリアと異なる第１の帯域幅キャリア上で支援情報を受信することを含み得る。第１のフレキシブル帯域幅キャリアと異なる第１の帯域幅キャリア上で支援情報を受信することは、通常帯域幅キャリア上で支援情報を受信することを含み得る。第１のフレキシブル帯域幅キャリアと異なる第１の帯域幅キャリア上で支援情報を受信することは、第２のフレキシブル帯域幅キャリア上で支援情報を受信することを含み得る。第１のフレキシブル帯域幅キャリアは、第１のフレキシブル帯域幅セルに関連付けられ得る。支援情報を受信することおよび支援情報を利用することは、ユーザ機器（ＵＥ）において実行され得る。
【００１６】
いくつかの実施形態は、ワイヤレス通信に対してモビリティ管理を行うように構成されたワイヤレス通信システムを含む。システムは、モビリティ管理を円滑にするための１つまたは複数のユーザ機器（ＵＥ）に対する第１のフレキシブル帯域幅キャリアに関する支援情報を決定するための手段であって、第１のフレキシブル帯域幅キャリアに対する第１のフレキシブル帯域幅を生成するために帯域幅スケーリング係数が利用される、手段、および／またはモビリティ管理を円滑にするために１つまたは複数のＵＥに第１のフレキシブル帯域幅キャリアに関する支援情報を送信するための手段を備えることができる。
【００１７】
ワイヤレス通信システムは、モビリティ管理を円滑にするための１つまたは複数のＵＥに対する少なくとも第２のフレキシブル帯域幅キャリアに関する支援情報を決定するための手段であって、第２のフレキシブル帯域幅キャリアに対するフレキシブル帯域幅を生成するために第２の帯域幅スケーリング係数が利用される、手段、および／またはモビリティ管理を円滑にするために１つまたは複数のＵＥに少なくとも第２のフレキシブル帯域幅キャリアに関する支援情報を送信するための手段を備えることができる。モビリティ管理を円滑にするために１つまたは複数のＵＥに第１のフレキシブル帯域幅キャリアに関する支援情報を送信するための手段は、第１のフレキシブル帯域幅キャリアと異なる第１の帯域幅キャリア上で支援情報を送信するための手段を含み得る。第１のフレキシブル帯域幅キャリアと異なる第１の帯域幅キャリア上で支援情報を送信するための手段は、通常帯域幅キャリア上で支援情報を送信するための手段を含み得る。第１のフレキシブル帯域幅キャリアと異なる第１の帯域幅キャリア上で支援情報を送信するための手段は、第２のフレキシブル帯域幅キャリア上で支援情報を送信するための手段を含み得る。
【００１８】
いくつかの実施形態は、非一時的なコンピュータ可読媒体を備えることができるワイヤレス通信システムに対するモビリティ管理のためのコンピュータプログラム製品を含み、このコンピュータ可読媒体はモビリティ管理を円滑にするための１つまたは複数のユーザ機器（ＵＥ）に対する第１のフレキシブル帯域幅キャリアに関する支援情報を決定するためのコードであって、第１のフレキシブル帯域幅キャリアに対する第１のフレキシブル帯域幅を生成するために帯域幅スケーリング係数が利用される、コード、および／またはモビリティ管理を円滑にするために１つまたは複数のＵＥに第１のフレキシブル帯域幅キャリアに関する支援情報を送信するためのコードを格納することができる。
【００１９】
非一時的なコンピュータ可読媒体は、モビリティ管理を円滑にするための１つまたは複数のＵＥに対する少なくとも第２のフレキシブル帯域幅キャリアに関する支援情報を決定するためのコードであって、第２のフレキシブル帯域幅キャリアに対するフレキシブル帯域幅を生成するために第２の帯域幅スケーリング係数が利用される、コード、および／またはモビリティ管理を円滑にするために１つまたは複数のＵＥに少なくとも第２のフレキシブル帯域幅キャリアに関する支援情報を送信するためのコードを格納することができる。
【００２０】
モビリティ管理を円滑にするために１つまたは複数のＵＥに第１のフレキシブル帯域幅キャリアに関する支援情報を送信するためのコードは、第１のフレキシブル帯域幅キャリアと異なる第１の帯域幅キャリア上で支援情報を送信するためのコードを含み得る。第１のフレキシブル帯域幅キャリアと異なる第１の帯域幅キャリア上で支援情報を送信するコードは、通常帯域幅キャリア上で支援情報を送信するためのコードを含み得る。第１のフレキシブル帯域幅キャリアと異なる第１の帯域幅キャリア上で支援情報を送信するためのコードは、第２のフレキシブル帯域幅キャリア上で支援情報を送信するためのコードを含み得る。
【００２１】
いくつかの実施形態は、ワイヤレス通信システムに対してモビリティ管理を行うように構成されたワイヤレス通信デバイスを含む。デバイスは、少なくとも１つのプロセッサを備え、このプロセッサはモビリティ管理を円滑にするための１つまたは複数のユーザ機器（ＵＥ）に対する第１のフレキシブル帯域幅キャリアに関する支援情報を決定することであって、第１のフレキシブル帯域幅キャリアに対する第１のフレキシブル帯域幅を生成するために帯域幅スケーリング係数が利用される、決定すること、および／またはモビリティ管理を円滑にするために１つまたは複数のＵＥに第１のフレキシブル帯域幅キャリアに関する支援情報を送信することを行うように構成され得る。このデバイスは、少なくとも１つのプロセッサに結合された少なくとも１つのメモリも備えることができる。
【００２２】
少なくとも１つのプロセッサは、モビリティ管理を円滑にするための１つまたは複数のＵＥに対する少なくとも第２のフレキシブル帯域幅キャリアに関する支援情報を決定することであって、第２のフレキシブル帯域幅キャリアに対するフレキシブル帯域幅を生成するために第２の帯域幅スケーリング係数が利用される、決定すること、および／またはモビリティ管理を円滑にするために１つまたは複数のＵＥに少なくとも第２のフレキシブル帯域幅キャリアに関する支援情報を送信することを行うようにさらに構成され得る。モビリティ管理を円滑にするために１つまたは複数のＵＥに第１のフレキシブル帯域幅キャリアに関する支援情報を送信するように構成された少なくとも１つのプロセッサは、第１のフレキシブル帯域幅キャリアと異なる第１の帯域幅キャリア上で支援情報を送信するように構成され得る。第１のフレキシブル帯域幅キャリアと異なる第１の帯域幅キャリア上で支援情報を送信するように構成された少なくとも１つのプロセッサは、通常帯域幅キャリア上で支援情報を送信するように構成され得る。第１のフレキシブル帯域幅キャリアと異なる第１の帯域幅キャリア上で支援情報を送信するように構成された少なくとも１つのプロセッサは、第２のフレキシブル帯域幅キャリア上で支援情報を送信するように構成され得る。
【００２３】
いくつかの実施形態は、ワイヤレス通信に対してモビリティ管理を行うように構成されたワイヤレス通信システムを含む。システムは、モビリティ管理を円滑にするための第１のフレキシブル帯域幅キャリアに関する支援情報を受信するための手段であって、第１のフレキシブル帯域幅キャリアに対する第１のフレキシブル帯域幅を生成するために帯域幅スケーリング係数が利用される、手段、および／またはモビリティ管理を円滑にするための第１のフレキシブル帯域幅キャリアに関する支援情報を利用するための手段を備えることができる。
【００２４】
モビリティ管理を円滑にするための第１のフレキシブル帯域幅キャリアに関する支援情報を受信するための手段は、第１のフレキシブル帯域幅キャリアと異なる第１の帯域幅キャリア上で支援情報を受信するための手段を含み得る。第１のフレキシブル帯域幅キャリアと異なる第１の帯域幅キャリア上で支援情報を受信するための手段は、通常帯域幅キャリア上で支援情報を受信するための手段を含み得る。第１のフレキシブル帯域幅キャリアと異なる第１の帯域幅キャリア上で支援情報を受信するための手段は、第２のフレキシブル帯域幅キャリア上で支援情報を受信するための手段を含み得る。いくつかの実施形態は、非一時的なコンピュータ可読媒体を備えることができるワイヤレス通信システムに対するモビリティ管理のためのコンピュータプログラム製品を含み、このコンピュータ可読媒体はモビリティ管理を円滑にするための第１のフレキシブル帯域幅キャリアに関する支援情報を受信するためのコードであって、第１のフレキシブル帯域幅キャリアに対する第１のフレキシブル帯域幅を生成するために帯域幅スケーリング係数が利用される、コード、および／またはモビリティ管理を円滑にするための第１のフレキシブル帯域幅キャリアに関する支援情報を利用するためのコードを格納することができる。
【００２５】
モビリティ管理を円滑にするための第１のフレキシブル帯域幅キャリアに関する支援情報を受信するためのコードは、第１のフレキシブル帯域幅キャリアと異なる第１の帯域幅キャリア上で支援情報を受信するためのコードを含み得る。第１のフレキシブル帯域幅キャリアと異なる第１の帯域幅キャリア上で支援情報を受信するためのコードは、通常帯域幅キャリア上で支援情報を受信するためのコードを含み得る。第１のフレキシブル帯域幅キャリアと異なる第１の帯域幅キャリア上で支援情報を受信するためのコードは、第２のフレキシブル帯域幅キャリア上で支援情報を受信するためのコードを含み得る。
【００２６】
いくつかの実施形態は、ワイヤレス通信システムに対してモビリティ管理を行うように構成されたワイヤレス通信デバイスを含む。デバイスは、少なくとも１つのプロセッサを備え、このプロセッサはモビリティ管理を円滑にするための第１のフレキシブル帯域幅キャリアに関する支援情報を受信することであって、第１のフレキシブル帯域幅キャリアに対する第１のフレキシブル帯域幅を生成するために帯域幅スケーリング係数が利用される、受信すること、および／またはモビリティ管理を円滑にするための第１のフレキシブル帯域幅キャリアに関する支援情報を利用することを行うように構成され得る。このデバイスは、少なくとも１つのプロセッサに結合された少なくとも１つのメモリを備えることができる。
【００２７】
モビリティ管理を円滑にするために第１のフレキシブル帯域幅キャリアに関する支援情報を受信するように構成された少なくとも１つのプロセッサは、第１のフレキシブル帯域幅キャリアと異なる第１の帯域幅キャリア上で支援情報を受信するように構成され得る。第１のフレキシブル帯域幅キャリアと異なる第１の帯域幅キャリア上で支援情報を受信するように構成された少なくとも１つのプロセッサは、通常帯域幅キャリア上で支援情報を受信するように構成され得る。第１のフレキシブル帯域幅キャリアと異なる第１の帯域幅キャリア上で支援情報を受信するように構成された少なくとも１つのプロセッサは、第２のフレキシブル帯域幅キャリア上で支援情報を受信するように構成され得る。
【００２８】
前記の説明では、次の詳細な説明を理解しやすくするために本開示に従って例の特徴および技術的利点の概略をかなり広範にわたって述べている。追加の特徴および利点について以下で説明する。開示されている概念および特定の例は、本開示の同じ目的を実施するために他の構造物を修正または設計するための基盤として容易に利用され得る。このような同等の構造は、付属の請求項の精神および範囲から逸脱しない。本明細書で開示されている概念に特徴的であると考えられる特徴は、その編成および動作方法の両方に関して、関連する利点と併せて、付属の図面に関連して考察するときに次の説明を参照することで理解しやすくなる。これらの特徴の各々は、例示および説明を目的として提示されており、請求項の制限の定義として提示されていない。
【００２９】
本発明の性質および利点は、次の図面を参照することでさらに深く理解できる。添付図において、類似のコンポーネントまたは特徴は、同じ参照ラベルを有するものとしてよい。さらに、同じタイプの様々なコンポーネントは、参照ラベルの後にダッシュと類似のコンポーネントを区別する第２のラベルを付けることによって区別することができる。第１の参照ラベルのみが明細書中で使用されている場合、説明は、第２の参照ラベルに関係なく同じ第１の参照ラベルを有する類似のコンポーネントのうちの１つに適用可能である。
【図面の簡単な説明】
【００３０】
【図１】様々な実施形態によるワイヤレス通信システムのブロック図。
【図２Ａ】様々な実施形態によるフレキシブル波形が通常波形に適合するほど十分には広くないスペクトルの一部に適合するワイヤレス通信システムの一例を示す図。
【図２Ｂ】様々な実施形態によるフレキシブル波形が帯域端に近いスペクトルの一部に適合するワイヤレス通信システムの一例を示す図。
【図３】様々な実施形態によるワイヤレス通信システムのブロック図。
【図４】様々な実施形態によるモビリティ管理手順を示すブロック図。
【図５】様々な実施形態によるいくつかのモビリティ管理シナリオを含む表。
【図６Ａ】様々な実施形態による通信ダイアグラムを示す図。
【図６Ｂ】様々な実施形態による通信ダイアグラムを示す図。
【図６Ｃ】様々な実施形態による通信ダイアグラムを示す図。
【図７】様々な実施形態による通信ダイアグラムを示す図。
【図８】様々な実施形態による流れ図を示す図。
【図９】様々な実施形態によりモビリティ管理を行うように構成されたデバイスのブロック図。
【図１０】様々な実施形態によるワイヤレス通信システムのブロック図。
【図１１】様々な実施形態によりモビリティ管理を行うように構成されたデバイスのブロック図。
【図１２】様々な実施形態によるユーザ機器のブロック図。
【図１３】様々な実施形態による基地局とユーザ機器とを含むワイヤレス通信システムのブロック図。
【図１４】様々な実施形態によるワイヤレス通信システムにおけるモビリティ管理の方法の流れ図。
【図１５】様々な実施形態によるワイヤレス通信システムにおけるモビリティ管理の方法の流れ図。
【発明を実施するための形態】
【００３１】
フレキシブル帯域幅を利用するワイヤレス通信システムに対するモビリティ管理のための方法、システム、およびデバイスが提供される。いくつかの実施形態は、フレキシブル帯域幅キャリアに関するモビリティ管理を円滑にするための支援情報を決定し、１つまたは複数のユーザ機器（ＵＥ）に送信することを含む。いくつかの実施形態は、フレキシブル帯域幅キャリア情報をＵＥに送信することを含むが、その際に、ＵＥ中心アプローチ、ネットワーク中心アプローチ、ＰＬＭＮを使用するネットワーク中心アプローチ、新しいＳＩＢ作成アプローチ、および／またはアプリケーション層アプローチを利用する。いくつかの実施形態は、フレキシブル帯域幅キャリアに関するモビリティ管理を円滑にするための１つまたは複数のＵＥに対する支援情報を受信し、利用するための方法と、システムと、デバイスとを含む。
【００３２】
いくつかの実施形態は、データ転送速度の遅いアプリケーション用に設計され、ソフトリフレーミングシナリオでも使用され得る１つまたは複数のフレキシブル帯域幅キャリアネットワークを含む。混合されたレガシーおよびフレキシブル帯域幅キャリアの展開（たとえば、ＧＳＭ（登録商標）、ＷＣＤＭＡ（登録商標）、および／またはフレキシブル帯域幅キャリアネットワーク）において、マルチモードフレキシブル帯域幅ＵＥは、これらのネットワーク間を移行することができるものとしてよい。実施形態は、これらの混合システムにおいて生じ得る、限定はしないが、ＵＭＴＳまたはＧＳＭなどの、既存のシステムによりネットワーク内にフレキシブル帯域幅キャリアまたはセルを展開することに関するモビリティ管理手順の影響、および／またはフレキシブル帯域幅ＵＥへのフレキシブル帯域幅キャリアまたはセルに関する情報のネットワーク信号伝達を含む、異なる課題を解決するものである。実施形態は、フレキシブル帯域幅キャリアネットワークとレガシーネットワークとの間のフレキシブル帯域幅ＵＥモビリティを使用可能にするための様々な標準以前のソリューションと潜在的な標準ソリューションとを提供し得る。
【００３３】
フレキシブル帯域幅キャリアシステムは、フレキシブル波形を利用して通常波形に適合するほど十分には大きくない可能性のあるスペクトルの部分を利用することができるワイヤレス通信システムを伴い得る。フレキシブル帯域幅キャリアシステムは、通常帯域幅キャリアシステムに関してフレキシブル帯域幅キャリアシステムの時間もしくはチップレートのディレーションを生じさせるか、またはスケールダウンすることを通じて通常帯域幅キャリアシステムに関して生成され得る。いくつかの実施形態において、フレキシブル帯域幅キャリアシステムは、フレーム長のディレーションを生じさせるか、または通常帯域幅キャリアシステムに関してフレキシブル帯域幅キャリアシステムの帯域幅をスケールダウンすることを通じて通常帯域幅キャリアシステムに関して生成され得る。いくつかの実施形態は、フレキシブル帯域幅キャリアシステムの時間もしくはチップレートを伸長するか、またはスケールアップすることを通じてフレキシブル波形の帯域幅を増やす。いくつかの実施形態は、フレーム長を減らすか、またはフレキシブル帯域幅キャリアシステムの帯域幅をスケールアップすることを通じてフレキシブル波形の帯域幅を増やす。
【００３４】
本明細書で説明する技術を、ＣＤＭＡ、ＴＤＭＡ、ＦＤＭＡ、ＯＦＤＭＡ、ＳＣ−ＦＤＭＡ、ピアツーピア、および他のシステムなどの様々なワイヤレス通信システムに使用することができる。用語「システム」、「網」、および「ネットワーク」は、しばしば交換可能に使用される。ＣＤＭＡシステムは、ＣＤＭＡ２０００、ユニバーサル地上無線アクセス（ＵＴＲＡ）などの無線技術を実装することができる。ＣＤＭＡ２０００は、ＩＳ−２０００標準規格と、ＩＳ−９５標準規格と、ＩＳ−８５６標準規格とを包含する。ＩＳ−２０００  Ｒｅｌｅａｓｅｓ  ０およびＡは、一般に、ＣＤＭＡ２０００  １Ｘ、１Ｘなどと称される。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと称される。ＵＴＲＡには、Ｗｉｄｅｂａｎｄ  ＣＤＭＡ（ＷＣＤＭＡ）およびＣＤＭＡの他の変更形態がある。時分割多元接続システムは、グローバルシステムフォーモバイルコミュニケーションズ（ＧＳＭ）（登録商標）などの無線テクノロジを実装するものとしてよい。ＯＦＤＭＡまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ｆｌａｓｈ−ＯＦＤＭ、などの無線テクノロジを実装するものとしてよい。ＵＴＲＡおよびＥ−ＵＴＲＡは、ユニバーサルモバイル通信システム（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新規リリースである。ＵＴＲＡ、Ｅ−ＵＴＲＡ、ＵＭＴＳ、ＬＴＥ、ＬＴＥ−Ａ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。本明細書で説明されている技術は、上述のシステムおよび無線技術、さらには他のシステムおよび無線アクセス技術に使用され得る。
【００３５】
そこで、次の説明は、例を取りあげ、請求項に記載の範囲、適用性、または構成を制限するものではない。本開示の精神および範囲から逸脱することなく、様々な変更を説明されている要素の機能および配置構成に加えることができる。様々な実施形態において、適宜様々な手順またはコンポーネントを省略し、置換し、または追加することができる。たとえば、説明されている方法は、説明されているのと異なる順序で実行することもでき、様々なステップが追加され、省略され、または組み合わされ得る。また、いくつかの実施形態に関して説明されている特徴は、他の実施形態において組み合わせることもできる。
【００３６】
まず最初に図１を参照すると、ブロック図は様々な実施形態によるワイヤレス通信システム１００の一例を示している。システム１００は、基地局１０５と、ユーザ機器１１５と、基地局制御装置１２０と、コアネットワーク１３０とを備えることができる（制御装置１２０は、いくつかの実施形態ではコアネットワーク１３０内に一体化することができ、いくつかの実施形態では、制御装置１２０は、基地局１０５内に一体化することができる）。システム１００は、複数のキャリア（異なる周波数の波形信号）上でのオペレーションをサポートすることができる。マルチキャリア送信機は、複数のキャリア上で変調信号を同時に送信することができる。各々の変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、単一キャリアＦＤＭＡ（ＳＣ−ＦＤＭＡ）信号などであってよい。各々の変調信号は、異なるキャリア上で送信され、制御情報（たとえば、パイロット信号）、オーバーヘッド情報、データなどを搬送することができる。システム１００は、ネットワークリソースを効率よく割り振ることができるマルチキャリアＬＴＥネットワークとすることができる。
【００３７】
ユーザ機器１１５は、任意の種類の移動局、モバイルデバイス、アクセス端末、加入者ユニット、またはユーザ機器とすることができる。ユーザ機器１１５は、セル方式携帯電話とワイヤレス通信デバイスとを含み得るが、携帯情報端末（ＰＤＡ）、スマートフォン、他のハンドヘルドデバイス、ネットブック、ノートブックコンピュータなども含み得る。そのため、ユーザ機器という用語は、任意の種類のワイヤレスまたはモバイル通信デバイスを含むように、請求項を含めてこれ以降、広い意味で解釈されるべきである。
【００３８】
基地局１０５は、基地局アンテナを介してユーザ機器１１５とワイヤレス方式で通信することができる。基地局１０５は、複数のキャリアを介して制御装置１２０の制御の下でユーザ機器１１５と通信するように構成され得る。ＧＳＭでは、たとえば、制御装置１２０は、基地局制御装置（ＢＳＣ）と称され、ＵＭＴＳでは、制御装置は、無線ネットワーク制御装置（ＲＮＣ）と称されうる。基地局１０５サイトの各々は、それぞれの地理的地域に対して通信範囲を提供することができる。いくつかの実施形態では、基地局１０５は、ＮｏｄｅＢ、ｅＮｏｄｅＢ、Ｈｏｍｅ  ＮｏｄｅＢ、および／またはＨｏｍｅ  ｅＮｏｄｅＢと称され得る。各々の基地局１０５に対するサービスエリアは、ここでは、１１０−ａ、１１０−ｂ、または１１０−ｃと識別される。基地局に対するサービスエリアは、セクタに分割され得る（図示されていないが、サービスエリアの一部のみを構成する）。システム１００は、異なる種類の基地局１０５（たとえば、マクロ、マイクロ、フェムト、および／またはピコ基地局）を備えることができる。
【００３９】
ユーザ機器１１５、基地局１０５、コアネットワーク１３０、および／または制御装置１２０などの、システム１００の異なる態様は、様々な実施形態に従ってフレキシブル帯域幅キャリアとフレキシブル波形とを利用するように構成され得る。システム１００は、たとえば、ユーザ機器１１５と基地局１０５との間に送信１２５があることを示している。送信１２５は、ユーザ機器１１５から基地局１０５へのアップリンクおよび／またはリバースリンク送信、および／または基地局１０５からユーザ機器１１５へのダウンリンクおよび／またはフォワードリンク送信を含み得る。送信１２５は、フレキシブルおよび／または通常波形を含むことができる。通常波形は、レガシーおよび／または通常波形とも称され得る。
【００４０】
ユーザ機器１１５、基地局１０５、コアネットワーク１３０、および／または制御装置１２０などの、システム１００の異なる態様は、様々な実施形態に従ってフレキシブル帯域幅とフレキシブル波形とを利用するように構成され得る。たとえば、システム１００の異なる態様は、通常波形に適合するほど十分には大きくない可能性のあるスペクトルの部分を利用することができる。ユーザ機器１１５、基地局１０５、コアネットワーク１３０、および／または制御装置１２０などの、デバイスは、チップレートおよび／またはスケーリング係数を、フレキシブル帯域幅および／または波形を生成し、および／または利用するように適応させる構成をとることができる。システム１００のいくつかの態様は、通常サブシステムに関して生成され得るフレキシブルサブシステム（特定のユーザ機器１１５および／または基地局１０５など）を形成することができる（通常サブシステムに関するフレキシブルサブシステムの時間またはチップレートのディレーションを生じさせるか、またはスケールダウンすることを通じて他のユーザ機器１１５、制御装置１２０、および／または基地局１０５を使用して実装され得る）。いくつかの実施形態では、フレキシブルサブシステムは、フレーム長のディレーションを生じさせるか、または通常サブシステムに関してフレキシブルサブシステムの帯域幅をスケールダウンすることを通じて通常サブシステムに関して生成され得る。いくつかの実施形態は、フレキシブルサブシステムの時間もしくはチップレートを伸長するか、またはスケールアップすることを通じてフレキシブル波形の帯域幅を増やす。いくつかの実施形態は、フレーム長を減らすか、またはフレキシブルサブシステムの帯域幅をスケールアップすることを通じてフレキシブル波形の帯域幅を増やす。
【００４１】
いくつかの実施形態において、ユーザ機器１１５、基地局１０５、コアネットワーク１３０、および／または制御装置１２０などの、システムの異なる態様は、フレキシブル帯域幅キャリアまたは関連付けられている基地局１０５であってもよいセルに関するモビリティ管理を円滑にするために本明細書においてユーザ機器（ＵＥ）と称される１つまたは複数のユーザ機器への支援情報を信号伝達および／または受信するように構成され得る。いくつかの実施形態において、ネットワークおよび／または基地局１０５は支援情報をＵＥに、プロビジョニング、ブロードキャストメッセージ、および／または専用メッセージによって送ることができる。いくつかの実施形態は、フレキシブル帯域幅キャリアまたはセル情報をＵＥ１１５に信号伝達および／またはブロードキャストすることを含むことができ、その際にアプローチとして、限定はしないが、ＵＥ中心アプローチ、ネットワーク中心アプローチ、ＰＬＭＮを使用するネットワーク中心アプローチ、新しいＳＩＢ作成アプローチ、および／またはアプリケーション層アプローチを利用する。
【００４２】
いくつかの実施形態において、基地局１０５は、モビリティ管理を円滑にするための１つまたは複数のユーザ機器１１５に対する第１のフレキシブル帯域幅キャリアに関する支援情報を決定するように構成され得る。帯域幅スケーリング係数が、第１のフレキシブル帯域幅キャリアに対する第１のフレキシブル帯域幅を生成するために利用され得る。基地局１０５は、モビリティ管理を円滑にするための１つまたは複数のユーザ機器１１５に対する第１のフレキシブル帯域幅キャリアに関する支援情報を送信するように構成され得る。
【００４３】
いくつかの実施形態は、１つまたは複数のユーザ機器１１５を、ワイヤレス通信システム１００内でモビリティ管理を行うように構成することを含む。たとえば、ユーザ機器１１５は、モビリティ管理を円滑にするための第１のフレキシブル帯域幅キャリアに関する支援情報を受信するように構成され得る。帯域幅スケーリング係数が、第１のフレキシブル帯域幅キャリアに対する第１のフレキシブル帯域幅を生成するために利用され得る。ユーザ機器１１５は、モビリティ管理を円滑にするための第１のフレキシブル帯域幅キャリアに関する支援情報を利用するように構成され得る。
【００４４】
いくつかの実施形態において、モビリティ管理を円滑にするための支援情報は、第１のフレキシブル帯域幅キャリアと第２のフレキシブル帯域幅キャリア、またはユーザ機器１１５に対する他のフレキシブル帯域幅キャリアとの間のモビリティを円滑にする。第１のフレキシブル帯域幅キャリアおよび第２のフレキシブル帯域幅キャリアは、同じ帯域幅スケーリング係数を利用することができる。第１のフレキシブル帯域幅キャリアおよび第２のフレキシブル帯域幅キャリアは、異なる帯域幅スケーリング係数を利用することができる。モビリティ管理を円滑にするための支援情報は、フレキシブル帯域幅キャリアと通常帯域幅キャリアとの間のモビリティを円滑にし得る。
【００４５】
いくつかの実施形態は、フレキシブル波形および／または通常波形を生成することができるユーザ機器１１５および／または基地局１０５を含み得る。フレキシブル波形は、通常波形に比べて小さい帯域幅を占有し得る。たとえば、帯域端では、通常波形を配置するために十分な利用可能スペクトルがない場合がある。フレキシブル波形については、いくつかの実施形態において、時間のディレーションが生じるにつれ、波形が占有する周波数は下がり、それにより、フレキシブル波形を通常波形に適合するほど十分に広くない可能性のあるスペクトルに適合させることが可能になる。フレキシブル波形は、いくつかの実施形態では、スケーリング係数を使用することを通じて生成することもできる。いくつかの実施形態において、フレキシブル帯域幅キャリアは、フレキシブル波形を伝えるために利用され得る。他の実施形態は、転送速度またはチップレートを変えることを通じてスペクトルの一部に適合するようにフレキシブル波形を生成することができる（たとえば、拡散率は変化し得る）。いくつかの実施形態は、処理の頻度を変えてチップレートを変化させるか、またはスケーリング係数を利用することができる。処理の頻度を変えることは、補間レート、割り込みレート、および／または間引きレートを変えることを含み得る。いくつかの実施形態において、フィルタリングを通じて、間引きによって、および／またはＡＤＣ、ＤＡＣ、および／またはオフラインクロックの周波数を変更することによって、チップレートが変えられるか、またはスケーリング係数が利用され得る。少なくとも１つのクロックの周波数を変えるために、分周器が使用され得る。いくつかの実施形態において、チップレート分周器（Ｄｃｒ）が利用されうる。いくつかの実施形態において、フレキシブル帯域幅キャリアに対するスケーリング係数は、帯域幅スケーリング係数と称され得る。
【００４６】
いくつかの実施形態において、フレキシブルシステムまたは波形は、フラクショナルシステムまたは波形（fractional system or waveform）であってよい。フラクショナルシステムおよび／または波形は、たとえば、帯域幅を変化させてもさせなくてもよい。フラクショナルシステムまたは波形は、それが通常システムまたは波形（たとえば、Ｎ＝１システム）に比べてより多くの可能性をもたらし得るのでフレキシブルであるものとしてよい。通常システムまたは波形は、標準および／またはレガシーシステムまたは波形を指すものとしてよい。
【００４７】
図２Ａは、様々な実施形態による基地局１０５−ａとユーザ機器１１５−ａとを伴うワイヤレス通信システム２００−ａの例を示しており、フレキシブル波形２１０−ａは、通常波形２２０−ａに適合するほど十分に広くないスペクトルの一部に適合する。システム２００−ａは、図１のシステム１００の一例としてよい。いくつかの実施形態において、フレキシブル波形２１０−ａは、基地局１０５−ａおよび／またはユーザ機器１１５−ａのいずれかが送信することができる通常波形２２０−ａと重なってもよい。いくつかの実施形態は、複数のフレキシブル波形２１０を利用することもできる。いくつかの実施形態において、別の基地局および／またはユーザ機器（図示せず）は、通常波形２２０−ａおよび／またはフレキシブル波形２１０−ａを送信することができる。図２Ｂは、基地局１０５−ｂとユーザ機器１１５−ｂとを伴うワイヤレス通信システム２００−ｂの例を示しており、そこでは、フレキシブル波形２１０−ｂは、保護周波数帯であってもよい、帯域端の近くのスペクトルの一部に適合し、通常波形２２０−ｂは適合し得ない。システム２００−ｂは、図１のシステム１００の一例としてよい。
【００４８】
いくつかの実施形態において、ユーザ機器１１５−ａ／１１５−ｂおよび／または基地局１０５−ａ／１５０−ｂは、１つまたは複数の基地局１０５に関連付けられ得る、フレキシブル帯域幅キャリアに関するモビリティ管理を円滑にするために本明細書においてユーザ機器（ＵＥ）と称される１つまたは複数のユーザ機器１１５への支援情報を信号伝達および／または受信するように構成され得る。いくつかの実施形態において、ネットワークおよび／または基地局１０５は支援情報をＵＥ１１５に、プロビジョニング、ブロードキャストメッセージ、および／または専用メッセージによって送ることができる。いくつかの実施形態は、フレキシブル帯域幅キャリアまたはセル情報をＵＥ１１５に信号伝達および／またはブロードキャストすることを含むことができ、その際にアプローチとして、限定はしないが、ＵＥ中心アプローチ、ネットワーク中心アプローチ、ＰＬＭＮを使用するネットワーク中心アプローチ、新しいＳＩＢ作成アプローチ、および／またはアプリケーション層アプローチを利用する。
【００４９】
いくつかの実施形態において、基地局１０５−ａ／１０５−ｂは、モビリティ管理を円滑にするための１つまたは複数のユーザ機器１１５−ａ／１１５−ｂに対する第１のフレキシブル帯域幅キャリアに関する支援情報を決定するように構成され得る。帯域幅スケーリング係数が、第１のフレキシブル帯域幅キャリアに対する第１のフレキシブル帯域幅を生成するために利用され得る。基地局１０５−ａ／１０５−ｂは、モビリティ管理を円滑にするための１つまたは複数のユーザ機器１１５−ａ／１０５−ｂに対する第１のフレキシブル帯域幅キャリアに関する支援情報を送信するように構成され得る。
【００５０】
いくつかの実施形態は、１つまたは複数のユーザ機器１１５を、ワイヤレス通信システム１００内でモビリティ管理を行うように構成することを含む。たとえば、ユーザ機器１１５−ａ／１１５−ｂは、モビリティ管理を円滑にするための第１のフレキシブル帯域幅キャリアに関する支援情報を受信するように構成され得る。帯域幅スケーリング係数が、第１のフレキシブル帯域幅キャリアに対する第１のフレキシブル帯域幅を生成するために利用され得る。ユーザ機器１１５−ａ／１１５−ｂは、モビリティ管理を円滑にするための第１のフレキシブル帯域幅キャリアに関する支援情報を利用するように構成され得る。
【００５１】
いくつかの実施形態において、モビリティ管理を円滑にするための支援情報は、第１のフレキシブル帯域幅キャリアと第２のフレキシブル帯域幅キャリア、またはユーザ機器１１５−ａ／１１５−ｂに対する他のフレキシブル帯域幅キャリアとの間のモビリティを円滑にする。第１のフレキシブル帯域幅キャリアおよび第２のフレキシブル帯域幅キャリアは、同じ帯域幅スケーリング係数を利用することができる。第１のフレキシブル帯域幅キャリアおよび第２のフレキシブル帯域幅キャリアは、異なる帯域幅スケーリング係数を利用することができる。モビリティ管理を円滑にするための支援情報は、フレキシブル帯域幅キャリアと通常帯域幅キャリアとの間のモビリティを円滑にし得る。
【００５２】
図３は、様々な実施形態による基地局１０５−ｃおよび１０５−ｄと、制御装置１２０−ａと、ユーザ機器１１５−ｃおよび１１５ｄとを伴うワイヤレス通信システム３００の例を示している。いくつかの実施形態において、基地局１０５−ｃおよび／またはユーザ機器１１５−ｃ／１１５−ｄは、１つまたは複数のフレキシブル帯域幅キャリア、または基地局１０５−ｄに関するモビリティ管理を円滑にするために１つまたは複数のユーザ機器１１５に関する支援情報を信号伝達および／または受信するように構成され得る。いくつかの実施形態において、制御装置１２０−ａおよび／または基地局１０５−ｃは、支援情報をユーザ機器１１５−ｃおよび／または１１５−ｄに、プロビジョニング、ブロードキャストメッセージ、および／または専用メッセージによって送ることができる。いくつかの実施形態は、フレキシブル帯域幅キャリアまたはセル情報をＵＥ１１５−ｃおよび／または１１５−ｄに信号伝達および／またはブロードキャストすることを含むことができ、その際にアプローチとして、限定はしないが、ＵＥ中心アプローチ、ネットワーク中心アプローチ、ＰＬＭＮを使用するネットワーク中心アプローチ、新しいＳＩＢ作成アプローチ、および／またはアプリケーション層アプローチを利用する。支援情報は、ユーザ機器１１５−ｃおよび１１５−ｄによって利用され、フレキシブル帯域幅キャリアを利用するように構成され得る、基地局１０５−ｄに関するモビリティを円滑にすることができる。
【００５３】
ユーザ機器１１５−ｃおよび／または１１５−ｄと基地局１０５−ｃまたは基地局１０５−ｄ（送信は図示されない）との間の送信３０５−ａおよび／または３０５−ｂでは、通常波形に比べて小さい（または大きい）帯域幅を占有するように生成され得るフレキシブル波形を利用することができる。たとえば、オペレータの隣接スペクトル割り振りの端を含む、帯域端では、通常波形を配置するために十分な利用可能スペクトルがない場合がある。フレキシブル波形については、時間のディレーションが生じるにつれ、波形が占有する周波数は下がり、それにより、フレキシブル波形を通常波形に適合するほど十分に広くない可能性のあるスペクトルに適合させることが可能になる。いくつかの実施形態において、フレキシブル波形は、通常波形に関してスケーリング係数Ｎを利用してスケーリングされ得る。スケーリング係数Ｎは、帯域幅スケーリング係数と称され得る。スケーリング係数Ｎは、フレキシブル帯域幅キャリアに対する帯域幅をスケーリングするために利用され得る。スケーリング係数Ｎは、限定はしないが１、２、３、４、８などの整数値を含む、数多くの異なる値を取り得る。しかし、Ｎは、整数でなければならないわけではない。いくつかの場合において、帯域幅スケーリング係数と同じ数値を有していてもよい、チップレート分周器（Ｄｃｒ）が利用され得る。
【００５４】
いくつかの実施形態は、追加の用語を利用し得る。新しい単位Ｄが利用され得る。単位Ｄは、「ディレーション」である。この単位は無名数であり、値Ｎを有する。「ディレーション時間（dilated time）」に関してフレキシブルシステム内の時間を記述することができる。たとえば、通常時間においてたとえば１０ｍｓのスロットは、フレキシブル時間では１０Ｄｍｓと表すことができる（注意：通常時間であっても、これは、通常時間でＮ＝１なので真であり、Ｄは値１を有し、したがって１０Ｄｍｓ＝１０ｍｓである）。時間のスケーリングにおいて、大半の「秒」を「ディレーション秒（dilated-seconds）」で置き換えることができる。
【００５５】
上で説明されているように、フレキシブル波形は、通常波形に比べて小さい、または大きい帯域幅を占有する波形とすることができる。したがって、フレキシブル帯域幅キャリアシステムでは、同じ数のシンボルおよびビットが、通常帯域幅システムに比べてより長い存続時間にわたって送信され得る。この結果、時間が引き伸ばされ、したがって、スロット存続時間、フレーム存続時間などが、スケーリング係数Ｎで増大され得る。スケーリング係数Ｎは、フレキシブル帯域幅（ＢＷ）と通常帯域幅との比を表すものとしてよい。そこで、フレキシブル帯域幅システムにおけるデータ転送速度は、通常転送速度×１／Ｎに等しく、遅延は通常遅延×Ｎに等しいものとしてよい。一般に、フレキシブルシステムのチャネルＢＷ＝通常システムのチャネルＢＷ／Ｎである。遅延と帯域幅の積、遅延×ＢＷは変化せずそのままである。さらに、いくつかの実施形態では、フレキシブル波形は、通常波形に比べて大きい帯域幅を占有する波形とすることができる。
【００５６】
本明細書全体を通し、通常システム、サブシステム、および／または波形という用語は、１に等しいものとしてよいスケーリング係数（たとえば、Ｎ＝１）または通常もしくは標準チップレートを利用することができる実施形態を伴うシステム、サブシステム、および／または波形を指すために利用され得る。これらの通常システム、サブシステム、および／または波形は、標準および／またはレガシーシステム、サブシステム、および／または波形とも称され得る。さらに、フレキシブルシステム、サブシステム、および／または波形は、１に等しくなくてもよいスケーリング係数（たとえば、Ｎ＝２、３、４、８、１／２、１／４など）を利用し得る実施形態を伴うシステム、サブシステム、および／または波形を指すために利用され得る。Ｎ＞１に対して、またはチップレートが下げられる場合に、波形の帯域幅は減少し得る。いくつかの実施形態では、帯域幅を増大するスケーリング係数またはチップレートを利用することができる。たとえば、Ｎ＜１の場合、またはビットレートが上げられた場合、波形は、通常波形に比べて大きい帯域幅をカバーするように伸長され得る。フレキシブルシステム、サブシステム、および／または波形は、いくつかの場合において、フラクショナルシステム、サブシステム、および／または波形とも称され得る。フラクショナルシステム、サブシステム、および／または波形は、たとえば、帯域幅を変化させてもさせなくてもよい。フラクショナルシステム、サブシステム、または波形は、それが通常もしくは標準システム、サブシステム、または波形（たとえば、Ｎ＝１システム）に比べてより多くの可能性をもたらし得るのでフレキシブルであるものとしてよい。
【００５７】
次に図４を参照すると、ブロック図が様々な実施形態によるモビリティ管理手順を例示している。ブロック図の態様は、全体として、または一部だけ、様々なワイヤレス通信デバイスを利用して実装されるものとしてよく、これらは、限定はしないが、図１、図２、図３、図１０、および／または図１３に示されているような基地局１０５、図９に示されているようなデバイス９００、図１および／または図１０に示されているようなコアネットワーク１３０、図１、図３、および／または図１０に示されているような制御装置１２０、図１、図２、図３、図１０、図１２、および／または図１３に示されているようなユーザ機器１１５、および／または図１１に示されているようなデバイス１１００を含む。ブロック４０５で、ネットワークは、ＵＥに支援情報を信号伝達して、モビリティ管理においてＵＥを支援することができる。ネットワークは、たとえば、隣接するセルに関する支援情報をＵＥに信号伝達することができる。ブロック４１０で、１つまたは複数のスケーリング係数Ｎは、ＵＥで決定され得る。これは、探索手順の一部であってよい。たとえば、ＵＥは、自律的に、および／または信号伝達される支援情報を使用することによってネットワークの助けを借りてセルまたはキャリアを探索することができる。セルは、フレキシブル帯域幅セルであってよく、キャリアは、フレキシブル帯域幅キャリアであってよい。いくつかの場合において、異なるフレキシブル帯域幅セルまたはキャリアに関連付けられているスケーリング係数は、たとえば、基地局を通じて、ネットワークからＵＥに信号伝達され得る。値ＮがＵＥに信号伝達されない場合、ＵＥは、たとえば、複数の帯域幅スケーリング係数仮説を立ててみて１つまたは複数のセルに関連付けられている１つまたは複数のスケーリング係数を決定することができる。たとえば、多数のＮ個の仮説を試みることも可能である。ブロック４１５で、セット管理手順が実行され得る。たとえば、ＵＥでは、ブロック４２０に示されているようにさらなるハンドオーバーおよび再選択に使用される様々なセルセットを作成することができる。ハンドオーバーは、ネットワークとの間でアクティブな通信を行う、接続モードに入っている間に、ＵＥが一方のセルから別のセルに移動するときに実行され、再選択は、ネットワークとの間でアクティブな通信を行わない、アイドルモードに入っている間に、ＵＥが一方のセルから別のセルに移動するときに実行され得る。
【００５８】
実施形態は、様々なモビリティ管理シナリオを含み得る。フレキシブル帯域幅ＵＥは、たとえば、モビリティ手順を使用して、異なるモビリティシナリオに従って移行することができる。フレキシブル帯域幅ＵＥは、Ｎ＝ｘの周波数スケーリング係数または帯域幅スケーリング係数を持つフレキシブル帯域幅キャリアまたはセルから、同じＮを持つ別のフレキシブル帯域幅キャリアまたはセルに移動することができる。これらのセルは、たとえば、同じキャリア周波数上に展開されるが、異なるＰＳＣによって分離され得る。いくつかの実施形態において、２つのセルは異なるキャリア周波数上に展開することも可能である。フレキシブル帯域幅ＵＥは、Ｎ＝ｘを持つフレキシブル帯域幅キャリアまたはセルから、異なるＮ、Ｎ＝ｙを持つ別のフレキシブル帯域幅キャリアまたはセルに移動することができる。セルは両方とも、異なるキャリア周波数上に展開されてもよい。フレキシブル帯域幅ＵＥは、Ｎ＝ｘを持つフレキシブル帯域幅キャリアまたはセルから、たとえば、ＷＣＤＭＡおよび／またはＧＳＭセルなどの非フレキシブルまたはレガシーセルに移動することができる。同様に、ＵＥは、ＷＣＤＭＡおよび／またはＧＳＭなどの非フレキシブル帯域幅キャリアまたはセルからフレキシブル帯域幅キャリアまたはセルに移動することができる。セルは両方とも、異なるキャリア周波数上に展開されてもよい。いくつかの場合において、ＷＣＤＭＡおよび／またはＧＳＭさえるなどの非フレキシブル帯域幅キャリアもしくはセル、またはレガシーセル、およびフレキシブル帯域幅セルもしくはセルは、同一サイトに配置されるか、または異なるサイトに展開され得る。いくつかの実施形態において、ＵＥがフレキシブル帯域幅キャリアまたはセルに移動した後、これはたとえばＷＣＤＭＡネットワークなどの非フレキシブルネットワーク、またはレガシーネットワークで現在実行されているものとしてモビリティ手順を実行する（たとえば、登録メッセージ、位置エリア更新、ルーティングエリア更新などを送信する）ことができる。上記の例のいくつかは、ＷＣＤＭＡおよび／またはＧＳＭセルを含んでいるが、他の実施形態では、他の無線アクセス技術（ＲＡＴ）を利用することができる。
【００５９】
図５は、いくつかの異なるモビリティ管理シナリオを含む表５００を示しているが、いくつかの実施形態では他のシナリオを利用することもできる。ハンドオーバー／再選択シナリオ５１０は、一方のキャリアから別のキャリアへの可能なＵＥの移動のいくつかの異なる事例を示しており、キャリアは、フレキシブル帯域幅キャリアおよび／または通常（またはレガシー）帯域幅キャリアであってよい。各々の事例に対する展開シナリオ５２０は、展開シナリオが周波数内、周波数間、および／またはＲＡＴ間であるかどうかを反映する。表５００の態様は、全体として、または一部だけ、様々なワイヤレス通信デバイスを利用して実装されるものとしてよく、これらは、限定はしないが、図１、図２、図３、図１０、および／または図１３に示されているような基地局１０５、図９に示されているようなデバイス９００、図１および／または図１０に示されているようなコアネットワーク１３０、図１、図３、および／または図１０に示されているような制御装置１２０、図１、図２、図３、図１０、図１２、および／または図１３に示されているようなユーザ機器１１５、および／または図１１に示されているようなデバイス１１００を含む。
【００６０】
いくつかの実施形態は、支援情報をフレキシブル帯域幅ＵＥに信号伝達することを含む。たとえば、基地局を通じてネットワークが、フレキシブル帯域幅セルに関する様々な情報を１つまたは複数のＵＥに信号伝達または送信することができるが、ＵＥは、別のフレキシブル帯域幅セルまたは通常セル、サービングセルにキャンプオンするか、または接続され得る。フレキシブル帯域幅ＵＥに送信され得る情報は、限定はしないが、ＰＬＭＮ  ＩＤ（たとえば、サービングセルのＰＬＭＮと異なる場合）、キャリア周波数（たとえば、帯域およびＵＡＲＦＣＮ）、プライマリスクランブリングコード（ＰＳＣ）、フレキシブル帯域幅スケーリング係数（Ｎ）、セルタイミング（たとえば、システムフレームＮ番号、セルタイミング），アイドルモードオペレーションに対するセル特有のＳパラメータ（オプション、たとえば、キャリアオフセット）、および／または接続モードオペレーションに対するセル特有のハンドオーバーパラメータ（オプション、たとえば、セル特有のオフセット）を含み得る。いくつかの場合において、この情報は、すでに、フレキシブル帯域幅スケーリング係数（Ｎ）を除いて既存のネットワーク内でＵＥに提供されている可能性がある。いくつかの実施形態において、ネットワークは情報をＵＥに、ＵＥがオペレータから事前構成情報を受信することができるプロビジョニング（たとえば、ＰＬＭＮ  ＩＤ）、ＵＥがアイドルモードに入っている間にセル規模でブロードキャストされるＳＩＢで情報を受信することができるブロードキャストメッセージ（たとえば、システム情報ブロック（ＳＩＢ））、および／またはＵＥが接続モードに入っている間にネットワークから専用メッセージを通じて情報を受信することができる専用メッセージによって提供することができる。ＵＥは接続モードでＳＩＢを受信することもできる。いくつかの実施形態において、ネットワークは、他の方法で情報をＵＥに提供することもできる。
【００６１】
プロビジョニングまたは専用メッセージを介してＵＥに支援情報を送信することは、ネットワーク内の非フレキシブル帯域幅ＵＥに影響を及ぼすことなく容易に行える。しかし、ネットワークは、情報がＧＳＭまたはＷＣＤＭＡのようなレガシーネットワークを通じてすべてのＵＥにブロードキャストされるときに非フレキシブル帯域幅（たとえば、レガシー）ＵＥへの影響を最小限に抑えるという難題に直面することがある。いくつかの実施形態では、この課題および／または他の課題を解決するための手段を提供することができる。実施形態は、フレキシブル帯域幅キャリアまたはセル情報をＵＥに信号伝達および／またはブロードキャストすることを含むことができ、その際にアプローチとして、限定はしないが、ＵＥ中心アプローチ、ネットワーク中心アプローチ、ＰＬＭＮを使用するネットワーク中心アプローチ、新しいＳＩＢ作成アプローチ、および／またはアプリケーション層アプローチ（たとえば、ジェネリックサーバアプローチ（たとえば、ＳＭＳまたはデータメッセージを使用する）および／またはＯＭＡ−デバイス会管理サーバアプローチ）を利用する。これらの異なるアプローチは、様々な異なる無線アクセス技術とともに利用され得る。たとえば、これらのアプローチは、ＧＳＭおよび／またはＷＣＤＭＡネットワーク上で使用することができる。最初の４つのアプローチ１〜４は、ＷＣＤＭＡを仮定して本明細書で説明されているが、同じメカニズムをＧＳＭ  ＥＤＧＥ無線アクセスネットワーク（ＧＥＲＡＮ）および他のネットワークおよび／またはＲＡＴに適用され得る。これらのアプローチのうちのいくつかは、ネイバーリストアプローチと称され得る。
【００６２】
いくつかの実施形態では、支援情報をフレキシブル帯域幅ＵＥに信号伝達することに関してＵＥ中心アプローチを利用する。たとえば、セルＩＮＦＯ  ＬＩＳＴ内のキャリア周波数およびＰＳＣなどのフレキシブル帯域幅キャリアまたはセル情報は、ＳＩＢ１１および／または１２上に含まれ得る。たとえば、ＵＭＴＳにおいて、ＵＥは、ＳＩＢ１２をいくつかの接続ＵＥ状態（たとえば、ＣＥＬＬ＿ＦＡＣＨ）で、ＳＩＢ１１をアイドルモードで読み取ることができる。接続モードのＳＩＢ１１がない場合、ＵＥは、ＳＩＢ１２上ですでに受信されている情報を使用することができる。既存のＳＩＢへの修正を回避するために、Ｎ値はブロードキャストされないものとしてよい。いくつかの場合において、ＳＩＢ１１が大きすぎる場合、ＳＩＢ１１ｂｉｓが使用され得る。レガシーＵＥは、Ｎ＝１を使用してフレキシブル帯域幅キャリアまたはセルを探索することができるが、探索は不成功になる場合がある。フレキシブル帯域幅ＵＥは、最初に、Ｎ＝１仮説を使用してセルを探索することができ、セルが見つからない場合、フレキシブル帯域幅システムに対する他の可能なＮについて探索することができる。このアプローチでは、既存のネットワークへの、またはネットワークからの事前構成への変更を必要としない場合がある。ＧＳＭでは、アイドルモードＵＥに対して、このアプローチは、フレキシブル帯域幅キャリアまたはセルの周波数とＢＳＩＣ情報とをＳＩＢ２／２ｂｉｓ／２ｉｔｅｒと２ｑｕａｔｅｒとにそれぞれ追加することと同等であるものとしてよい。接続モードＵＥについては、周波数およびＢＳＩＣは、それぞれ、ＳＩＢ５／ＳＩＢ５ｂｉｓ／５ｉｔｅｒと測定情報メッセージとに追加され得る。
【００６３】
いくつかの実施形態では、支援情報をフレキシブル帯域幅ＵＥに信号伝達することに関してネットワーク中心アプローチを利用する。いくつかの実施形態は、フレキシブル帯域幅ＵＥのみをターゲットとする現在のＳＩＢ１１／ＳＩＢ１１ｂｉｓ／ＳＩＢ１２に新しい情報要素（ＩＥ）を含める（つまり、フレキシブル帯域幅ＵＥは、これらのフィールドを読み取るが、非フレキシブル帯域幅ＵＥは、新しいＩＥを無視し得る）。ＩＥは、信号伝達されるフレキシブル帯域幅キャリアまたはセルに対する周波数、ＰＳＣ、および／またはフレキシブルスケーリング係数を含むことができる。フレキシブルスケーリング係数は信号伝達され得るので、ブライドデコードは必要ないものとしてよい。しかし、このソリューションを展開するために既存のネットワーク（たとえば、ＵＴＲＡＮ）に変更を加える必要が生じる場合があり、したがって、インフラベンダー契約が展開に必要になることがある。ＧＳＭでは、アイドルモードＵＥに対して、フレキシブル帯域幅キャリアまたはセルの周波数情報をＳＩＢ２／２ｂｉｓ／２ｉｔｅｒに、ＢＳＩＣとフレキシブル帯域幅スケーリング係数をＳＩＢ２ｑｕａｔｅｒに含めることが可能であるものとしてよい。接続モードでは、ＢＳＩＣおよびフレキシブル帯域幅スケーリング係数は、測定情報専用メッセージに含めることができる。
【００６４】
いくつかの実施形態では、支援情報をフレキシブル帯域幅ＵＥに信号伝達することに関してネットワーク中心ＰＬＭＮアプローチを利用する。オペレータは、別々のＰＬＭＮをフレキシブル帯域幅キャリアまたはセルに対して割り当てることができ、したがって、フレキシブル帯域幅ＵＥは、通常帯域幅セルに使用されるＰＬＭＮ  ＩＤに加えてフレキシブル帯域幅セルに対する新しいＰＬＭＮ  ＩＤをプロビジョニングされ得る。フレキシブル帯域幅および非フレキシブル帯域幅セルのキャリア周波数およびＰＳＣは、次いで、たとえば、ＳＩＢ１１およびＳＩＢ１１ｂｉｓ上でブロードキャストされ得る。標準への変更を回避するために、Ｎの値は、ブロードキャストされず、したがってＵＥはブラインドデコードを実行することができる。どのセルがフレキシブル帯域幅セルであるかを判定するために、ＵＥは、ＳＩＢ１８を読み取ることができる。たとえば、ＰＬＭＮ  ＩＤおよび各々のＰＬＭＮ  ＩＤに関連付けられているセルは、ＳＩＢ１８で指示され得る。ＵＥは、ＳＩＢ１８を復号化し、読み取ることができ、ＳＩＢ１８上に示されるＰＬＭＮ  ＩＤと、関連するセルとに基づき、ＳＩＢ１１／ＳＩＢ１１ｂｉｓからのどのセルがそのネイバーリストに追加され得るかを判定することができる。たとえば、レガシーＵＥは、フレキシブル帯域幅セルに対するＰＬＭＮ  ＩＤをプロビジョニングされ得ないので、それらのセルは、レガシーＵＥがＳＩＢ１１／１１ｂｉｓを読み取るときに無視される（ネイバーリストに追加されない）。その一方で、フレキシブルＵＥは、ＳＩＢ１８からフレキシブル帯域幅セルを識別することができるが、フレキシブル帯域幅スケーリング係数は、ＵＥによって判定されなければならないこともあり得る。標準の変更により、帯域幅スケーリング係数および／または他の情報がいくつかの場合において伝達できるものとしてよい。
【００６５】
いくつかの実施形態では、支援情報をフレキシブル帯域幅ＵＥに信号伝達することに関して新しいＳＩＢアプローチを作成することを利用する。たとえば、新しいＳＩＢは、フレキシブル帯域幅セルに関する情報、たとえば、周波数、ＰＳＣなどを含み得る。フレキシビリティを高めるために、新しいＳＩＢを作成し、フレキシブル帯域幅特有の情報を搬送することができる。レガシーＵＥは、新しいＳＩＢを認識せず、したがって、それを復号化することはできない。既存のネットワーク（たとえば、ＵＴＲＡＮ）に変更を加える必要が生じる場合があり、したがって、インフラベンダー契約が必要になることがある。
【００６６】
いくつかの実施形態では、支援情報をフレキシブル帯域幅ＵＥに信号伝達することに関してアプリケーション層アプローチを利用する。たとえば、ＧＳＭ／ＷＣＤＭＡ標準への変更がないと仮定して、アプリケーション層アプローチを使用してフレキシブル帯域幅ＵＥに情報を伝達することが可能であるものとしてよい。アプリケーションアプローチは、ＳＭＳおよび／またはデータメッセージを使用してジェネリックサーバ、および／またはオープンモバイルアライアンス（ＯＭＡ）デバイス管理（ＤＭ）サーバにフレキシブル帯域幅システム情報を伝達することを含みうる。これらのサーバは、フレキシブル帯域幅通信可能範囲が与えられた地理的地域内で利用可能であるものとしてよい場合にアプリケーションをフレキシブル帯域幅ＵＥにプッシュしてフレキシブル帯域幅ＵＥにフレキシブル帯域幅システム情報を知らせるためにオペレータによって使用され得る。ネットワーク内の非フレキシブル帯域幅ＵＥがフレキシブル帯域幅キャリアまたはセル情報を送信されることのないようにするために、ネットワークでは（たとえば、ＵＥのＩＭＥＩを要求することによって）ＵＥ能力を取得する必要があり得る。オペレータは、ＩＭＥＩを使用して、ＵＥ能力のデータベースにアクセスして、ＵＥフレキシブル帯域幅能力を確認することができる。ＵＥがフレキシブル帯域幅ＵＥであることが確認された後、アプリケーションサーバは、フレキシブル帯域幅支援情報をＵＥに送信することができる。ＵＥは、次に図６Ａ、６Ｂ、および／または６Ｃに示されているようにアイドルまたは接続モードのいずれかに入っているものとしてよい。ＳＭＳメッセージは、限られたペイロードを有するものとしてよいので、ＵＥには複数のメッセージ送信されなければならない可能性もある。また、ＳＭＳメッセージは、著しい待ち時間問題もまねき得る。
【００６７】
図６Ａは、様々な実施形態による通信ダイアグラム６００−ａを示す。通信ダイアグラム６００−ａは、ジェネリックサーバを利用するＧＥＲＡＮ上のアイドルモードＵＥに対するデータメッセージベースの支援情報アプローチを含み得る。支援情報は、ＵＥとサーバとの間のパケット交換（ＰＳ）データ呼をセットアップするアプリケーションサーバによってＵＥに送られる。たとえば、図６Ｂは、様々な実施形態による通信ダイアグラム６００−ｂを示す。通信ダイアグラム６００−ｂは、最初にＧＥＲＡＮ上のアイドルモードに入っているＵＥに対するＳＭＳベースの支援情報アプローチを含み得る。支援情報は、ジェネリックアプリケーションサーバによって送られる。アプリケーションサーバは、フレキシブル帯域幅ＵＥに対して（ＳＭＳセンター（ＳＭＳＣ）を通じて）ＭＴ  ＳＭＳをトリガーし得る。ＳＭＳは、支援情報（周波数、ＰＳＣなど）をフレキシブル帯域幅ＵＥに搬送することができる。図６Ｂに示されているように、アプリケーションサーバ（ジェネリックサーバ）は、ＳＭＳＣと同一の場所に配置され得るか、または別のボックスであってもよい。たとえば、図６Ｃは、様々な実施形態による通信ダイアグラム６００−ｃを示す。通信ダイアグラム６００−ｃは、ＰＳ呼におけるＵＥに対する（ジェネリックサーバを利用する）ＳＭＳベースの支援情報アプローチを含み得る。アプリケーションサーバは、ＳＭＳＣと同一の場所に配置され得るか、または別のボックスであってもよい。アプリケーションサーバは、フレキシブル帯域幅ＵＥに支援情報を搬送するＭＴ  ＳＭＳをトリガーし得る。通信ダイアグラム６００−ａ、６００−ｂ、および／または６００−ｃの態様は、全体として、または一部だけ、様々なワイヤレス通信デバイスを利用して実装されるものとしてよく、これらは、限定はしないが、図１、図２、図３、図１０、および／または図１３に示されているような基地局１０５、図９に示されているようなデバイス９００、図１および／または図１０に示されているようなコアネットワーク１３０、図１、図３、および／または図１０に示されているような制御装置１２０、図１、図２、図３、図１０、図１２、および／または図１３に示されているようなユーザ機器１１５、および／または図１１に示されているようなデバイス１１００を含む。
【００６８】
次に図７を参照すると、ＯＭＡデバイス管理を伴う支援情報に対する通信ダイアグラム７００が、様々な実施形態に従って提示されていることがわかる。ＯＭＡデバイス管理（ＤＭ）は、デバイス、ソフトウェア、およびファームウェアのインストレーション更新への実行、プロビジョニング、リモートメンテナンス、および構成データの報告のためのメカニズムを備えることができる。ＯＭＡ−ＤＭサーバは、たとえば、ＳＭＳ上のワイヤレスアクセスプロトコル（ＷＡＰ）またはＳＳＬ上のＨＴＴＰ  ＤＭセッションを使用してメッセージをモバイルデバイスに送信することができる。フレキシブル帯域幅システムおよび／またはデバイスにおいて、実施形態はＯＭＡ−ＤＭサーバ上のＡＰＩを使用して、最初に、ＵＥ能力に関する情報を取得することができ（たとえば、ＯＭＡ−ＤＭサーバはＵＥのデバイス情報（たとえば、ＩＭＥＩ、デバイスモデルなど）を要求することができる）、および／または次いでフレキシブル帯域幅キャリアまたはセル情報を含むカスタマイズされたメッセージがＵＥに配信され得る。デバイス情報は、限定はしないが、メーカー情報、デバイスモデル、および／またはデバイスの固有の識別子を含むものとしてよい。ＵＥがフレキシブル帯域幅能力を有すると判定された後、支援情報は、「ｍａｎａｇｅｍｅｎｔ  ｏｐｅｒａｔｉｏｎｓ」メッセージを使用してフレキシブル帯域幅ＵＥに伝達され得る。通信ダイアグラム７００の態様は、全体として、または一部だけ、様々なワイヤレス通信デバイスを利用して実装されるものとしてよく、これらは、限定はしないが、図１、図２、図３、図１０、および／または図１３に示されているような基地局１０５、図９に示されているようなデバイス９００、図１および／または図１０に示されているようなコアネットワーク１３０、図１、図３、および／または図１０に示されているような制御装置１２０、図１、図２、図３、図１０、図１２、および／または図１３に示されているようなユーザ機器１１５、および／または図１１に示されているようなデバイス１１００を含む。
【００６９】
ネットワーク支援情報は、ネットワークアーキテクチャに対する異なる影響を有することがある。たとえば、フレキシブル帯域幅キャリアまたはセルは、ＵＭＴＳ  ＲＡＮと似たＲＡＮネットワークを利用することができる。たとえば、ＵＴＲＡＮは、ＷＣＤＭＡネットワークと共有されるか、または個別に展開され得る。ネットワーク支援情報アプローチのいくつかは（たとえば、ネットワーク中心アプローチ、新しいＳＩＢ作成など）は、ＵＴＲＡＮなどのネットワークへの変更を必要とする場合がある。
【００７０】
図８は、フレキシブル帯域幅ＵＥがＮ＝１のＷＣＤＭＡ／ＵＭＴＳセルであるセルＡからＮ＝４のフレキシブル帯域幅キャリアまたはセルであるセルＢに移行する一例を示す通信ダイアグラム８００を示している。セルＡ上でアイドルモードに入っている間、フレキシブル帯域幅ＵＥは、ブロードキャストされたＳＩＢ１１メッセージからフレキシブル帯域幅キャリアまたはセルに関する情報を受け取ることができる（ＵＥ中心アプローチが仮定されている）。ＵＥは、異なるＮ個の仮説を使用してセルを探索することによってセルＢに適したＮを決定することができる。セルＢに対する正しいＮが識別された後、ＵＥはセルＢおよびその関連するＮを隣接セルのリストに追加することができる。このＵＥはある時点においてセルＡ上で接続モードに遷移することができる。接続モードでは、信号強度の低下により、ネットワークは圧縮ギャップをＵＥに送り、フレキシブル帯域幅キャリアまたはセルＢを測定するものとしてよい。セルはすでにアイドルモードで識別されている可能性があるため、タイミングが知られており、したがって取得遅延は最小限に抑えられる。セルＢ上で測定した信号強度が強い（所定の閾値を超える信号強度）ので、ＵＥは、セルＢを仮想アクティブセットに追加し、測定報告をネットワークにさらに送信する。ネットワーク側では、フレキシブル帯域幅キャリアまたはセルＢへの周波数間ハンドオーバーを命令することができる。ＵＥは、フレキシブル帯域幅キャリアまたはセルＢに合わせてチューニングし、更新をその場所のネットワークに送信することができる（たとえば、ＷＣＤＭＡネットワーク内で現在実行されているようなルーティングエリア更新を送信する）。通信ダイアグラム８００の態様は、全体として、または一部だけ、様々なワイヤレス通信デバイスを利用して実装されるものとしてよく、これらは、限定はしないが、図１、図２、図３、図１０、および／または図１３に示されているような基地局１０５、図９に示されているようなデバイス９００、図１および／または図１０に示されているようなコアネットワーク１３０、図１、図３、および／または図１０に示されているような制御装置１２０、図１、図２、図３、図１０、図１２、および／または図１３に示されているようなユーザ機器１１５、および／または図１１に示されているようなデバイス１１００を含む。
【００７１】
いくつかの実施形態は、ＣＤＭＡ１ｘ／１ｘＥＶＤＯに対する支援情報を提供することができる。たとえば、フレキシブル帯域幅システム情報（フレキシブル１ｘ／ＥＶ−ＤＯ）を伝達するためのアプリケーション層アプローチは、フレキシブル帯域幅ＵＭＴＳの文脈において説明されているアプローチに本質的に類似しているものとしてよい。ＵＥ中心（または移動局（ＭＳ）／アクセス端末（ＡＴ）中心）アプローチは、ＳｅｃｔｏｒＰａｒａｍｅｔｅｒｓメッセージ内にキャリア周波数およびＰＮオフセットなどのフレキシブル帯域幅キャリアまたはセル情報を含み得る。既存のメッセージへの修正を回避するために、Ｎ値は含まれないものとしてよい。レガシーＡＴは、Ｎ＝１を使用してフレキシブル帯域幅キャリアまたはセルを探索することが必要になる場合があるが、探索は不成功になる。フレキシブル帯域幅ＡＴは、最初に、Ｎ＝１を使用してセルを探索することができ、セルが見つからない場合、上で説明されているＮ個の決定アプローチに従ってフレキシブル帯域幅システムに対する他の可能なＮについて探索することができる。ネットワーク中心アプローチが利用され、フレキシブル帯域幅ＡＴをターゲットとし得る新しいフレキシブルＳｅｃｔｏｒＰａｒａｍｅｔｅｒｓメッセージを含めることができる（すなわち、フレキシブル帯域幅ＡＴは、フレキシブル帯域幅ＳｅｃｔｏｒＰａｒａｍｅｔｅｒｓメッセージを読むことができるが、レガシーＡＴは、その新しいメッセージを無視し得る）。
【００７２】
いくつかの実施形態は、フレキシブル帯域幅隣接要素構造体を含み得る。フレキシブル帯域幅隣接要素構造体は、フィールドとして、ＰｉｌｏｔＰＮ、Ｃｈａｎｎｅｌ、Ｎ（フレキシブル帯域幅隣接要素構造体に対する新しい追加）、ＳｅａｒｃｈＷｉｎｄｏｗＳｉｚｅ、および／またはＳｅａｒｃｈＷｉｎｄｏｗＯｆｆｓｅｔを含むことができる。ＮｅｉｇｈｂｏｒＬｉｓｔメッセージは、ＡＴが接続状態に入っているときに隣接セクタに対応する情報をアクセス端末に伝達するために使用され得る。これは、メッセージを、Ｎを含むように変更されていると仮定することができる。これがなされない場合、ＵＥ中心アプローチ（ブラインドデコード、ＢＷ測定など）に従わなくてはならないことがある。いくつかの実施形態は、フレキシブル帯域幅１ｘ／ＤＯシステムに対する優先ローミングリスト（ＰＲＬ）も含み、これは取得タイプ（ＨＤＲジェネリックなど）、帯域（ＰＣＳなど）、チャネル、および／またはスケーリング係数Ｎ（追加できる）を含み得る。
【００７３】
次に図９を参照すると、ブロック図が様々な実施形態によるモビリティ管理のためのデバイス９００を例示している。デバイス９００は、図１、図３、および／または図１０を参照しつつ説明されている制御装置１２０および／または図１、図２、図３、図１０、および／または図１３を参照しつつ説明されている基地局１０５のうちの１つまたは複数の態様の例とすることができる。デバイス９００は、プロセッサとすることもできる。デバイス９００は、受信機モジュール９０５、支援情報決定モジュール９１５、および／または送信機モジュール９２０を備えることができる。いくつかの実施形態において、受信機モジュール９０５、支援情報決定モジュール９１５、および／または送信機モジュール９２０のうちの１つまたは複数は、個別の制御装置１２０および／または基地局１０５に一体化することもでき、いくつかの実施形態では、制御装置１２０は、基地局１０５と一体化することができる。これらのコンポーネントの各々は、互いに通信し合うものとしてよい。
【００７４】
デバイス９００のこれらのコンポーネントは、個別に、または集合的に、ハードウェア内の適用可能な機能のうちの一部または全部を実行するように適合された１つまたは複数の特定用途向け集積回路（ＡＳＩＣ）により実装され得る。あるいは、これらの機能は、１つまたは複数の集積回路上で、１つまたは複数の他の処理ユニット（またはコア）によって実行されてもよい。他の実施形態では、当技術分野で知られている任意の様式でプログラムされ得る他のタイプの集積回路（たとえば、構造化／プラットフォームＡＳＩＣ、フィールドプログラマブルゲートアレイ（ＦＰＧＡ）、および他のセミカスタムＩＣ）も使用され得る。各々のユニットの機能も、命令をメモリ内に具現化し、１つまたは複数の一般的なまたはアプリケーション特有のプロセッサによって実行されるようにフォーマットして、全体として、または一部だけ実装することもできる。
【００７５】
受信機モジュール９０５は、デバイス９００が受信または送信した内容に関するパケット、データ、および／または信号伝達情報などの情報を受信することができる。受信された情報は、様々な目的のために支援情報決定モジュール９１５によって利用され得る。たとえば、支援情報決定モジュール９１５は、モビリティ管理を円滑にするための１つまたは複数のユーザ機器（ＵＥ）に対する第１のフレキシブル帯域幅キャリアに関する支援情報を決定するように構成され得る。帯域幅スケーリング係数が、第１のフレキシブル帯域幅キャリアに対する第１のフレキシブル帯域幅を生成するために利用され得る。送信機モジュール９２０は、モビリティ管理を円滑にするために１つまたは複数のＵＥに第１のフレキシブル帯域幅キャリアに関する支援情報を送信するように構成され得る。
【００７６】
いくつかの実施形態において、モビリティ管理を円滑にするために第１のフレキシブル帯域幅キャリアに関する支援情報を決定し、および／または送信するように構成された支援情報決定モジュール９１５は、モビリティ管理を円滑にするために第１のフレキシブル帯域幅キャリアに関連付けられている帯域幅スケーリング係数を決定するように構成され得る。モビリティ管理を円滑にするために第１のフレキシブル帯域幅キャリアに関する支援情報を決定し、および／または送信することは、第１のフレキシブル帯域幅キャリアの少なくとも１つまたは複数の識別子を含み得る、ＵＥ中心アプローチと整合している支援情報を決定し、および／または送信することを含むことができ、１つまたは複数の識別子は、第１のフレキシブル帯域幅キャリアの少なくともキャリア周波数またはＰＳＣを含むが、帯域幅スケーリング係数などの他のものも、ＵＥによって決定され得る。モビリティ管理を円滑にするために第１のフレキシブル帯域幅キャリアに関する支援情報を決定し、および／または送信することは、第１のフレキシブル帯域幅キャリアに関連付けられている少なくとも１つまたは複数の帯域幅スケーリング係数を含むネットワーク中心アプローチと整合している支援情報を決定し、および／または送信することを含み得る。モビリティ管理を円滑にするために第１のフレキシブル帯域幅キャリアに関する支援情報を決定し、および／または送信することは、第１のフレキシブル帯域幅キャリアを識別するために受信された情報が１つまたは複数のＰＬＭＮ  ＩＤを含むネットワーク中心ＰＬＭＮアプローチと整合している支援情報を決定し、および／または送信することを含み得る。モビリティ管理を円滑にするために第１のフレキシブル帯域幅キャリアに関する支援情報を決定し、および／または送信することは、第１のフレキシブル帯域幅キャリアに関する第１のフレキシブル帯域幅特有の情報などを含む、支援情報を伝達することができる、１つまたは複数のＳＩＢを決定し、および／または送信することを含み得る。モビリティ管理を円滑にするために第１のフレキシブル帯域幅キャリアに関する支援情報を決定し、および／または送信することは、少なくともＳＭＳ、データメッセージ、またはＯＭＡデバイス管理メッセージを第１のフレキシブル帯域幅キャリアに関連付けられている支援情報とともに含むアプリケーション層ベースの情報を決定し、および／または送信することを含み得る。
【００７７】
いくつかの実施形態において、モビリティ管理を円滑にするための支援情報は、第１のフレキシブル帯域幅キャリアと第２のフレキシブル帯域幅キャリアとの間のモビリティを円滑にする。第１のフレキシブル帯域幅キャリアおよび第２のフレキシブル帯域幅キャリアは、同じ帯域幅スケーリング係数を利用することができる。第１のフレキシブル帯域幅キャリアおよび第２のフレキシブル帯域幅キャリアは、異なる帯域幅スケーリング係数を利用することができる。モビリティ管理を円滑にするための支援情報は、フレキシブル帯域幅キャリアと通常帯域幅キャリアとの間のモビリティを円滑にし得る。
【００７８】
支援情報決定モジュール９１５は、モビリティ管理を円滑にするための１つまたは複数のユーザ機器に対する第２のフレキシブル帯域幅キャリアに関する支援情報、または他のフレキシブル帯域幅キャリアに関する支援情報であっても、決定するように構成され得る。第２の帯域幅スケーリング係数が、第２のフレキシブル帯域幅キャリアに対するフレキシブル帯域幅を生成するために利用され得る。送信機モジュール９２０は、モビリティ管理を円滑にするための１つまたは複数のＵＥに対する第２のフレキシブル帯域幅キャリアに関する支援情報を送信するように構成され得る。
【００７９】
いくつかの実施形態において、送信機モジュール９２０は、モビリティ管理を円滑にするために１つまたは複数のＵＥに第１のフレキシブル帯域幅キャリアに関する支援情報を送信するように構成されるものとしてよく、支援情報を送信することは、第１のフレキシブル帯域幅キャリアと異なる第１の帯域幅キャリア上で実行される。第１のフレキシブル帯域幅キャリアと異なる第１の帯域幅キャリア上で支援情報を送信することは、通常帯域幅キャリア上で支援情報を送信することを含み得る。第１のフレキシブル帯域幅キャリアと異なる第１の帯域幅キャリア上で支援情報を送信することは、第２のフレキシブル帯域幅キャリア上で支援情報を送信することを含み得る。いくつかの実施形態では、第１のフレキシブル帯域幅キャリアは、第１のフレキシブル帯域幅セルに関連付けられる。
【００８０】
図１０は、様々な実施形態によりモビリティ管理を行うように構成され得る通信システム１０００のブロック図を示している。システム１０００は、図１に示されているシステム１００、図２のシステム２００、図３のシステム３００、および／または図１３のシステム１３００の態様の例であってよい。基地局１０５−ｅは、アンテナ１０４５と、トランシーバモジュール１０５０と、メモリ１０７０と、プロセッサモジュール１０６５とを備えることができ、各々、互いに直接的にまたは間接的に通信することができる（たとえば、１つまたは複数のバス上で）。トランシーバモジュール１０５０は、マルチモードユーザ機器であってもよい、ユーザ機器１１５−ｅと、アンテナ１０４５を介して双方向通信するように構成され得る。トランシーバモジュール１０５０（および／または基地局１０５−ｅの他のコンポーネント）も、１つまたは複数のネットワークと双方向通信するように構成され得る。いくつかの場合において、基地局１０５−ｅは、ネットワーク通信モジュール１０７５を通じてネットワーク１３０−ａおよび／または制御装置１２０−ａと通信することができる。基地局１０５−ｅは、ｅＮｏｄｅＢ基地局、Ｈｏｍｅ  ｅＮｏｄｅＢ基地局、ＮｏｄｅＢ基地局、および／またはＨｏｍｅ  ＮｏｄｅＢ基地局の一例とすることができる。制御装置１２０−ｂは、ｅＮｏｄｅＢ基地局などと、いくつかの場合において基地局１０５−ｅ内に組み込むことができる。
【００８１】
基地局１０５−ｅは、基地局１０５−ｍおよび基地局１０５−ｎなどの他の基地局１０５と通信することもできる。基地局１０５の各々は、異なる無線アクセス技術などの、異なるワイヤレス通信技術を使用してユーザ機器１１５−ｅと通信することができる。いくつかの場合において、基地局１０５−ｅは、基地局通信モジュール１０１５を利用して基地局１０５−ｍおよび／または１０５−ｎなどの他の基地局と通信することができる。いくつかの実施形態において、基地局通信モジュール１０１５は、ＬＴＥワイヤレス通信技術の範囲内のＸ２インターフェースを提供し、基地局１０５のうちのいくつかの間の通信を提供することができる。いくつかの実施形態において、基地局１０５−ｅは、制御装置１２０−ｂおよび／またはネットワーク１３０−ａを通じて他の基地局と通信することができる。
【００８２】
メモリ１０７０は、ランダムアクセスメモリ（ＲＡＭ）およびリードオンリーメモリ（ＲＯＭ）を含むものとしてよい。メモリ１０７０は、命令を含むコンピュータ可読、コンピュータ実行可能ソフトウェアコード１０７１を格納することもでき、命令は実行されるとプロセッサモジュール１９６５に本明細書で説明されている様々な機能（たとえば呼処理、データベース管理、メッセージルーティングなど）を実行させるように構成されている。あるいは、ソフトウェア１０７１は、プロセッサモジュール１０６５によって直接的には実行可能でないが、たとえば、コンパイルされ実行されたときに、コンピュータに本明細書で説明されている機能を実行させるように構成され得る。
【００８３】
プロセッサモジュール１０６５は、インテリジェントハードウェアデバイス、たとえば、Ｉｎｔｅｌ（登録商標）ＣｏｒｐｏｒａｔｉｏｎまたはＡＭＤ（登録商標）などの中央演算処理装置（ＣＰＵ）、マイクロコントローラ、特定用途向け集積回路（ＡＳＩＣ）を含み得る。プロセッサモジュール１０６５は、マイクロフォンを介してオーディオを受信し、オーディオを受信されたオーディオを表すパケット（たとえば、長さ２０ｍｓ）に変換し、オーディオパケットをトランシーバモジュール１０５０に供給し、ユーザが話しているかどうかを示す指示を送るように構成された音声エンコーダ（図示せず）を備えることができる。あるいは、エンコーダは、パケットをトランシーバモジュール１０５０に送るだけであり、ユーザが話しているかどうかを示す指示をパケットそれ自体が送ることを準備する、または差し控える／抑制することができる。
【００８４】
トランシーバモジュール１０５０は、送信のためパケットを変調し、変調されたパケットをアンテナ１０４５に送り、アンテナ１０４５から受信されたパケットを復調するように構成されたモデムを備えることができる。基地局１０５−ｅのいくつかの例は、単一のアンテナ１０４５を備え得るが、基地局１０５−ｅは、好ましくは、キャリアアグリゲーションをサポートすることができる複数のリンク用に複数のアンテナ１０４５を備える。たとえば、１つまたは複数のリンクが、ユーザ機器１１５−ｅとのマクロ通信をサポートするために使用され得る。
【００８５】
図１０のアーキテクチャによれば、基地局１０５−ｅは、通信管理モジュール１０３０をさらに備えることができる。通信管理モジュール１０３０は、他の基地局１０５との通信を管理することができる。例として、通信管理モジュール１０３０は、バスを介して基地局１０５−ｅの他のコンポーネントのうちの一部または全部と通信している基地局１０５−ｅの一コンポーネントであってよい。あるいは、通信管理モジュール１０３０の機能は、トランシーバモジュール１０５０の一コンポーネントとして、一コンピュータプログラム製品として、および／またはプロセッサモジュール１０６５の１つまたは複数の制御装置要素として実装され得る。
【００８６】
基地局１０５−ｅのコンポーネントは、図９のデバイス９００に関して上で説明されている態様を実装するように構成することができ、簡単にするため、ここでは繰り返さない。たとえば、支援情報決定モジュール９１５−ａは、図９の支援情報決定モジュール９１５であってよい。いくつかの実施形態において、制御装置１２０−ｂは、図９のデバイス９００に関して上で説明されている態様を実装するように構成することができ、簡単にするため、ここでは繰り返さない。基地局１０５−ｅおよび制御装置１２０−ｂは、別々のエンティティとして、または組み合わされたエンティティとして展開され得る。
【００８７】
基地局１０５−ｅは、スペクトル識別モジュール１０２０も備えることができる。スペクトル識別モジュール１０２０は、フレキシブル波形に利用可能なスペクトルを識別するために利用され得る。いくつかの実施形態において、ハンドオーバーモジュール１０２５は、一方の基地局１０５から別の基地局へのユーザ機器１１５−ｅのハンドオーバー手順を実行するために利用され得る。たとえば、ハンドオーバーモジュール１０２５は、一方の基地局１０５−ｅから別の基地局へのユーザ機器１１５−ｅのハンドオーバー手順を実行することができ、通常波形は、ユーザ機器１１５−ｅと基地局のうちの１つとの間で利用され、フレキシブル波形は、ユーザ機器と別の基地局との間で利用される。スケーリングモジュール１０１０は、フレキシブル波形を生成するようにチップレートをスケーリングし、および／または変更するために利用され得る。いくつかの実施形態において、制御装置１２０−ｂは、ハンドオーバーモジュール１０２５に関して上で説明されているように態様を実装するように構成することができ、簡単にするため、ここでは繰り返さない。基地局１０５−ｅおよび制御装置１２０−ｂは、別々のエンティティとして、または組み合わされたエンティティとして展開され得る。
【００８８】
いくつかの実施形態において、トランシーバモジュール１０５０は、アンテナ１０４５を用いて、基地局１０５−ｅの他の可能なコンポーネントとともに、フレキシブル波形および／またはスケーリング係数に関する情報を基地局１０５−ｅからユーザ機器１１５−ｅに、他の基地局１０５−ｍ／１０５−ｎに、またはコアネットワーク１３０−ａに送信することができる。いくつかの実施形態において、トランシーバモジュール１０５０は、アンテナ１０４５を用いて、基地局１０５−ｅの他の可能なコンポーネントとともに、これらのデバイスまたはシステムがフレキシブル波形を利用できるように、フレキシブル波形および／またはスケーリング係数などの情報をユーザ機器１１５−ｅに、他の基地局１０５−ｍ／１０５−ｎに、またはコアネットワーク１３０−ａに送信することができる。
【００８９】
次に図１１を参照すると、ブロック図が様々な実施形態によるモビリティ管理のためのデバイス１１００を例示している。デバイス１１００は、図１、図２、図３、図１０、図１２、および／または図１３を参照しつつ説明されているユーザ機器１１５の１つまたは複数の態様の一例とすることができる。デバイス１１００は、プロセッサとすることもできる。デバイス１１００は、受信機モジュール１１０５、支援情報利用モジュール１１１５、および／または送信機モジュール１１２０を備えることができる。これらのコンポーネントの各々は、互いに通信し合うものとしてよい。
【００９０】
デバイス１１００のこれらのコンポーネントは、個別に、または集合的に、ハードウェア内の適用可能な機能のうちの一部または全部を実行するように適合された１つまたは複数の特定用途向け集積回路（ＡＳＩＣ）により実装され得る。あるいは、これらの機能は、１つまたは複数の集積回路上で、１つまたは複数の他の処理ユニット（またはコア）によって実行されてもよい。他の実施形態では、当技術分野で知られている任意の様式でプログラムされ得る他のタイプの集積回路（たとえば、構造化／プラットフォームＡＳＩＣ、フィールドプログラマブルゲートアレイ（ＦＰＧＡ）、および他のセミカスタムＩＣ）も使用され得る。各々のユニットの機能も、命令をメモリ内に具現化し、１つまたは複数の一般的なまたはアプリケーション特有のプロセッサによって実行されるようにフォーマットして、全体として、または一部だけ実装することもできる。
【００９１】
受信機モジュール１１０５は、デバイス１１００が受信または送信した内容に関するパケット、データ、および／または信号伝達情報などの情報を受信することができる。受信された情報は、様々な目的のために支援情報利用モジュール１１１５によって利用され得る。たとえば、支援情報利用モジュール１１１５および／または受信機モジュール１１０５は、モビリティ管理を円滑にするための第１のフレキシブル帯域幅キャリアに関する支援情報を受信するように構成され得る。帯域幅スケーリング係数が、第１のフレキシブル帯域幅キャリアに対する第１のフレキシブル帯域幅を生成するために利用され得る。支援情報利用モジュール１１１５は、モビリティ管理を円滑にするための第１のフレキシブル帯域幅キャリアに関する支援情報を利用するように構成され得る。
【００９２】
いくつかの実施形態において、モビリティ管理を円滑にするために第１のフレキシブル帯域幅キャリアに関する支援情報を受信するように構成された支援情報利用モジュール１１１５は、モビリティ管理を円滑にするために第１のフレキシブル帯域幅キャリアに関連付けられている帯域幅スケーリング係数を受信するように構成され得る。モビリティ管理を円滑にするための第１のフレキシブル帯域幅キャリアに関する支援情報を受信することは、第１のフレキシブル帯域幅キャリアの少なくとも１つまたは複数の識別子を含み得る、ＵＥ中心アプローチと整合している支援情報を受信することを含むことができ、１つまたは複数の識別子は、第１のフレキシブル帯域幅キャリアの少なくともキャリア周波数またはＰＳＣを含むが、帯域幅スケーリング係数などの他のものも、ＵＥによって決定される。モビリティ管理を円滑にするための第１のフレキシブル帯域幅キャリアに関する支援情報を受信することは、第１のフレキシブル帯域幅キャリアに関連付けられている少なくとも１つまたは複数の帯域幅スケーリング係数を含むネットワーク中心アプローチと整合している支援情報を受信することを含み得る。モビリティ管理を円滑にするための第１のフレキシブル帯域幅キャリアに関する支援情報を受信することは、第１のフレキシブル帯域幅キャリアを識別するために受信された情報が１つまたは複数のＰＬＭＮ  ＩＤを含むネットワーク中心ＰＬＭＮアプローチと整合している支援情報を受信することを含み得る。モビリティ管理を円滑にするための第１のフレキシブル帯域幅キャリアに関する支援情報を受信することは、第１のフレキシブル帯域幅キャリアに関する第１のフレキシブル帯域幅特有の情報などを含む、支援情報を伝達することができる、１つまたは複数のＳＩＢを受信することを含み得る。モビリティ管理を円滑にするための第１のフレキシブル帯域幅キャリアに関する支援情報を受信することは、少なくともＳＭＳ、データメッセージ、またはＯＭＡデバイス管理メッセージを第１のフレキシブル帯域幅キャリアに関連付けられている支援情報とともに含むアプリケーション層ベースの情報を受信することを含み得る。
【００９３】
いくつかの実施形態において、モビリティ管理を円滑にするための支援情報は、第１のフレキシブル帯域幅キャリアと第２のフレキシブル帯域幅キャリア、または他のフレキシブル帯域幅キャリアとの間のモビリティを円滑にする。第１のフレキシブル帯域幅キャリアおよび第２のフレキシブル帯域幅キャリアは、同じ帯域幅スケーリング係数を利用することができる。第１のフレキシブル帯域幅キャリアおよび第２のフレキシブル帯域幅キャリアは、異なる帯域幅スケーリング係数を利用することができる。モビリティ管理を円滑にするための支援情報は、フレキシブル帯域幅キャリアと通常帯域幅キャリアとの間のモビリティを円滑にし得る。
【００９４】
いくつかの実施形態において、支援情報利用モジュール１１１５および／または受信機モジュール１１０５は、モビリティ管理を円滑にするための第２のフレキシブル帯域幅キャリアに関する支援情報を受信するように構成され得る。第２の帯域幅スケーリング係数が、第２のフレキシブル帯域幅キャリアに対するフレキシブル帯域幅を生成するために利用され得る。いくつかの実施形態は、支援情報利用モジュール１１１５によるモビリティ管理を円滑にするための第２のフレキシブル帯域幅キャリアに関する支援情報を利用することを含む。
【００９５】
いくつかの実施形態において、モビリティ管理を円滑にするために第１のフレキシブル帯域幅キャリアに関する支援情報を受信するように構成された支援情報利用モジュール１１１５および／または受信機モジュール１１０５は、第１のフレキシブル帯域幅キャリアと異なる第１の帯域幅キャリア上で支援情報を受信することを含む。第１のフレキシブル帯域幅キャリアと異なる第１の帯域幅キャリア上で支援情報を受信することは、通常帯域幅キャリア上で支援情報を受信することを含み得る。第１のフレキシブル帯域幅キャリアと異なる第１の帯域幅キャリア上で支援情報を受信することは、第２のフレキシブル帯域幅キャリア上で支援情報を受信することを含み得る。
【００９６】
いくつかの実施形態では、第１のフレキシブル帯域幅キャリアは、第１のフレキシブル帯域幅セルに関連付けられる。いくつかの実施形態において、支援情報を受信することおよび支援情報を利用することは、ユーザ機器（ＵＥ）において行われる。
【００９７】
図１２は、様々な実施形態によりモビリティ管理を円滑にするように構成されたユーザ機器１１５−ｆのブロック図１２００である。ユーザ機器１１５−ｆは、パーソナルコンピュータ（たとえば、ラップトップコンピュータ、ネットブックコンピュータ、タブレットコンピュータ、など）、携帯電話、ＰＤＡ、デジタルビデオレコーダー（ＤＶＲ）、インターネットアプライアンス、ゲーム機、電子書籍リーダーなどの様々な構成のうちのどれかを取り得る。ユーザ機器１１５−ｆは、モバイルデバイスの動作を円滑にするため小型バッテリなどの内蔵電源（図示せず）を有することができる。いくつかの実施形態において、ユーザ機器１１５−ｆは、図１、図２、図３、図１０、および／または図１３のユーザ機器１１５、および／または図１１のデバイス１１００とすることができる。ユーザ機器１１５−ｆは、モードユーザ機器であってもよい。ユーザ機器１１５−ｆは、いくつかの場合においてワイヤレス通信デバイスと称され得る。
【００９８】
ユーザ機器１１５−ｆは、アンテナ１２４０と、トランシーバモジュール１２５０と、メモリ１２８０と、プロセッサモジュール１２７０とを備えることができ、各々、互いに直接的にまたは間接的に通信することができる（たとえば、１つまたは複数のバスを介して）。トランシーバモジュール１２５０は、上で説明されているように、１つまたは複数のネットワークと、アンテナ１２４０および／または１つまたは複数の有線もしくはワイヤレスリンクを介して、双方向通信するように構成される。たとえば、トランシーバモジュール１２５０は、図１、図２、図３、図１０、および／または図１３の基地局１０５と双方向通信するように構成され得る。トランシーバモジュール１２５０は、送信のためパケットを変調し、変調されたパケットをアンテナ１２４０に送り、アンテナ１２４０から受信されたパケットを復調するように構成されたモデムを備えることができる。ユーザ機器１１５−ｆは、単一のアンテナを備えることができるが、ユーザ機器１１５−ｆは、典型的には、複数のリンクに対して複数のアンテナ１２４０を備える。
【００９９】
メモリ１２８０は、ランダムアクセスメモリ（ＲＡＭ）およびリードオンリーメモリ（ＲＯＭ）を含むものとしてよい。メモリ１２８０は、命令を含むコンピュータ可読、コンピュータ実行可能ソフトウェアコード１２８５を格納することもでき、命令は実行されるとプロセッサモジュール１２７０に本明細書で説明されている様々な機能（たとえば呼処理、データベース管理、メッセージルーティングなど）を実行させるように構成されている。あるいは、ソフトウェア１２８５は、プロセッサモジュール１２７０によって直接的には実行可能でないが、（たとえば、コンパイルされ実行されたときに）コンピュータに本明細書で説明されている機能を実行させるように構成され得る。
【０１００】
プロセッサモジュール１２７０は、インテリジェントハードウェアデバイス、たとえば、Ｉｎｔｅｌ（登録商標）ＣｏｒｐｏｒａｔｉｏｎまたはＡＭＤ（登録商標）によって製造されたものなどの中央演算処理装置（ＣＰＵ）、マイクロコントローラ、特定用途向け集積回路（ＡＳＩＣ）を含み得る。プロセッサモジュール１２７０は、マイクロフォンを介してオーディオを受信し、オーディオを受信されたオーディオを表すパケット（たとえば、長さ２０ｍｓ）に変換し、オーディオパケットをトランシーバモジュール１２５０に供給し、ユーザが話しているかどうかを示す指示を送るように構成された音声エンコーダ（図示せず）を備えることができる。あるいは、エンコーダは、パケットをトランシーバモジュール１２５０に送るだけであり、ユーザが話しているかどうかを示す指示をパケットそれ自体が送ることを準備する、または差し控える／抑制することができる。
【０１０１】
図１２のアーキテクチャによれば、ユーザ機器１１５−ｆは、通信管理モジュール１２６０をさらに備えることができる。通信管理モジュール１２６０は、他のユーザ機器１１５との通信を管理することができる。例として、通信管理モジュール１２６０は、バスを介してユーザ機器１１５−ｆの他のコンポーネントのうちの一部または全部と通信しているユーザ機器１１５−ｆの一コンポーネントであってよい。あるいは、通信管理モジュール１２６０の機能は、トランシーバモジュール１２５０の一コンポーネントとして、一コンピュータプログラム製品として、および／またはプロセッサモジュール１２７０の１つまたは複数の制御装置要素として実装され得る。
【０１０２】
ユーザ機器１１５−ｆのコンポーネントは、図１５のデバイス１５００に関して上で説明されている態様を実装するように構成することができ、簡単にするため、ここでは繰り返さない。たとえば、支援情報利用モジュール１１１５−ａは、図１１の支援情報利用モジュール１１１５であってよい。
【０１０３】
ユーザ機器１１５−ｆは、スペクトル識別モジュール１２１５も備えることができる。スペクトル識別モジュール１２１５は、フレキシブル波形に利用可能なスペクトルを識別するために利用され得る。いくつかの実施形態において、ハンドオーバーモジュール１２２５は、一方の基地局から別の基地局へのユーザ機器１１５−ｆのハンドオーバー手順を実行するために利用され得る。たとえば、ハンドオーバーモジュール１２２５は、一方の基地局から別の基地局へのユーザ機器１１５−ｆのハンドオーバー手順を実行することができ、通常および／またはフレキシブル波形は、ユーザ機器１１５−ｆと基地局のうちの１つとの間で利用され、通常および／またはフレキシブル波形は、ユーザ機器と別の基地局との間で利用される。スケーリングモジュール１２１０は、フレキシブル波形を生成するようにチップレートをスケーリングし、および／または変更するために利用され得る。
【０１０４】
いくつかの実施形態において、トランシーバモジュール１２５０は、アンテナ１２４０を用いて、ユーザ機器１１５−ｆの他の可能なコンポーネントとともに、フレキシブル波形および／またはスケーリング係数に関する情報をユーザ機器１１５−ｆから基地局またはコアネットワークに送信することができる。いくつかの実施形態において、トランシーバモジュール１２５０は、アンテナ１２４０を用いて、ユーザ機器１１５−ｆの他の可能なコンポーネントとともに、これらのデバイスまたはシステムがフレキシブル波形を利用できるように、フレキシブル波形および／またはスケーリング係数などの情報を基地局またはコアネットワークに送信することができる。
【０１０５】
図１３は、様々な実施形態による基地局１０５−ｅとユーザ機器１１５−ｇとを含むシステム１３００のブロック図である。このシステム１３００は、図１のシステム１００、図２のシステム２００、図３のシステム３００、および／または図１０のシステム１０００の一例としてよい。基地局１０５−ｆは、アンテナ１３３４−ａから１３３４−ｘを装備することができ、ユーザ機器１１５−ｇは、アンテナ１３５２−ａから１３５２−ｎを装備することができる。基地局１０５−ｆにおいて、送信プロセッサ１３２０は、データソースからデータを受信するものとしてよい。
【０１０６】
送信プロセッサ１３２０は、そのデータを処理することができる。送信プロセッサ１３２０は、基準シンボル、およびセル特有の基準信号も生成することができる。送信（ＴＸ）ＭＩＭＯプロセッサ１３３０は、該当する場合に、データシンボル、制御シンボル、および／または基準シンボルに対して空間的処理（たとえば、プリコーディング）を実行し、出力シンボルストリームを送信変調器１３３２−ａから１３３２−ｘに供給することができる。各々の変調器１３３２は、出力サンプルストリームを得るために、それぞれの出力シンボルストリーム（たとえば、ＯＦＤＭなどの）を処理することができる。各々の変調器１３３２は、その出力サンプルストリームを処理（たとえば、アナログ変換、増幅、フィルタリング、およびアップコンバート）して、ダウンリンク（ＤＬ）信号を取得することができる。一例において、変調器１３３２−ａから１３３２−ｘのＤＬ信号は、それぞれ、アンテナ１３３４−ａから１３３４−ｘを介して送信され得る。送信機プロセッサ１３２０は、プロセッサ１３４０から情報を受信することができる。プロセッサ１３４０は、チップレートを変更することおよび／またはスケーリング係数を利用することを通じてフレキシブル波形を生成するように構成することができ、これは、いくつかの場合において動的に行われ得る。プロセッサ１３４０は、異なるアライメントおよび／またはオフセット手順も備えることができる。プロセッサ１３４０は、スケーリングおよび／またはチップレート情報を利用して、他のサブシステムに対する測定を実行する、他のサブシステムへのハンドオフを実行する、再選択を実行するなども行える。プロセッサ１３４０は、パラメータスケーリングを通じてフレキシブル帯域幅の使用に関連付けられている時間引き伸ばしの効果を反転することができる。いくつかの実施形態において、プロセッサ１３４０は、汎用プロセッサ、送信機プロセッサ１３２０、および／または受信機プロセッサ１３３８の一部として実装され得る。
【０１０７】
いくつかの実施形態において、プロセッサ１３４０は、モビリティ管理用に構成される。たとえば、プロセッサ１３４０は、フレキシブル帯域幅キャリアまたはセルに関するモビリティ管理を円滑にするための支援情報を１つまたは複数のユーザ機器（ＵＥ）１１５に信号伝達するように構成され得る。いくつかの実施形態において、プロセッサ１３４０は、支援情報をＵＥ１１５−ｇに、たとえば、ＵＥがオペレータから事前構成情報を受信することができるプロビジョニング（たとえば、ＰＬＭＮ  ＩＤ）、ＵＥがアイドルモードに入っている間にセル規模でブロードキャストされるＳＩＢで情報を受信することができるブロードキャストメッセージ（たとえば、システム情報ブロック（ＳＩＢ））、および／またはＵＥが接続モードに入っている間にネットワークから専用メッセージを通じて情報を受信することができる専用メッセージによって提供することができる。ＵＥは接続モードでＳＩＢを受信することもできる。プロセッサ１３４０は、フレキシブル帯域幅キャリア情報をＵＥ１１５に信号伝達および／またはブロードキャストするように構成することができ、その際にアプローチとして、限定はしないが、ＵＥ中心アプローチ、ネットワーク中心アプローチ、ＰＬＭＮを使用するネットワーク中心アプローチ、新しいＳＩＢ作成アプローチ、および／またはアプリケーション層アプローチ（たとえば、ジェネリックサーバアプローチ（たとえば、ＳＭＳまたはデータメッセージを使用する）および／またはＯＭＡ−デバイス会管理サーバアプローチ）を利用する。プロセッサ１３４０は、モビリティ管理を円滑にするために１つまたは複数のＵＥ１１５に異なるフレキシブル帯域幅キャリアまたはセルに関連付けられているフレキシブル帯域幅スケーリング係数Ｎに関する情報を信号伝達するように構成され得る。
【０１０８】
ユーザ機器１１５−ｇにおいて、ユーザ機器アンテナ１３５２−ａから１３５２−ｎは、基地局１０５−ｆからＤＬ信号を受信することができ、また受信された信号を復調器１３５４−ａから１３５４−ｎにそれぞれ供給することができる。各々の復調器１３５４は、入力サンプルを取得するために、各受信された信号を調節（たとえば、フィルタリング、増幅、ダウンコンバート、およびデジタイズ）することができる。各々の復調器１３５４は、受信されたシンボルを取得するために、入力サンプル（たとえば、ＯＦＤＭなどの）をさらに処理することができる。ＭＩＭＯ検出器１３５６は、すべての復調器１３５４−ａから１３５４−ｎからの受信されたシンボルを取得し、該当する場合に受信されたシンボルに対してＭＩＭＯ検出を実行し、検出されたシンボルを供給することができる。受信（Ｒｘ）プロセッサ１３５８は、検出されたシンボルを処理（たとえば、復調、逆インターリーブ、および復号化）し、ユーザ機器１１５−ｇに対する復号化されたデータをデータ出力に供給し、復号化された制御情報をプロセッサ１３８０、またはメモリ１３８２に供給することができる。
【０１０９】
アップリンク（ＵＬ）のときに、ユーザ機器１１５−ｇにおいて、送信機プロセッサ１３６４は、データソースからデータを受信して処理することができる。送信機プロセッサ１３６４は、基準信号に対する基準シンボルを生成することもできる。送信機プロセッサ１３６４からのシンボルは、該当する場合に送信ＭＩＭＯプロセッサ１３６６によってプリコーディングされ、復調器１３５４−ａから１３５４−ｎ（たとえば、ＳＣ−ＦＤＭＡなどの）によってさらに処理され、基地局１０５−ｆから受信された送信パラメータに従って基地局１０５−ｆに送信され得る。送信機プロセッサ１３６４も、チップレートを変更することおよび／またはスケーリング係数を利用することを通じてフレキシブル波形を生成するように構成することができ、これは、いくつかの場合において動的に行われ得る。送信機プロセッサ１３６４は、プロセッサ１３８０から情報を受信することができる。プロセッサ１３８０は、異なるアライメントおよび／またはオフセット手順を備えることができる。プロセッサ１３８０は、スケーリングおよび／またはチップレート情報を利用して、他のサブシステムに対する測定を実行する、他のサブシステムへのハンドオフを実行する、再選択を実行するなども行える。プロセッサ１３８０は、パラメータスケーリングを通じてフレキシブル帯域幅の使用に関連付けられている時間引き伸ばしの効果を反転することができる。基地局１０５−ｆにおいて、ユーザ機器１１５−ｇからのＵＬ信号は、アンテナ１３３４によって受信され、復調器１３３２によって処理され、該当する場合にＭＩＭＯ検出器１３３６によって検出され、受信プロセッサによってさらに処理され得る。受信プロセッサ１３３８は、復号化されたデータをデータ出力およびプロセッサ１３８０に供給することができる。いくつかの実施形態において、プロセッサ１３８０は、汎用プロセッサ、送信機プロセッサ１３６４、および／または受信機プロセッサ１３５８の一部として実装され得る。
【０１１０】
いくつかの実施形態において、プロセッサ１３８０は、モビリティ管理用に構成される。たとえば、プロセッサ１３８０は、本出願全体を通して示されているように、フレキシブル帯域幅キャリア、または基地局１０５に関してモビリティ管理を円滑にするための支援情報を受信するように構成され得る。いくつかの実施形態において、受信された情報は支援情報をＵＥ１１５−ｇに、プロビジョニング、ブロードキャストメッセージ、および／または専用メッセージによって提供するものである。いくつかの実施形態は、フレキシブル帯域幅キャリアまたはセル情報をＵＥ１１５−ｇに信号伝達および／またはブロードキャストすることを含むことができ、その際にアプローチとして、限定はしないが、ＵＥ中心アプローチ、ネットワーク中心アプローチ、ＰＬＭＮを使用するネットワーク中心アプローチ、新しいＳＩＢ作成アプローチ、および／またはアプリケーション層アプローチを利用する。
【０１１１】
図１４を参照すると示されているのは、様々な実施形態によるワイヤレス通信システムに対するモビリティ管理のための方法１４００の流れ図である。方法１４００は、様々なワイヤレス通信デバイスを利用して実装されるものとしてよく、これらは、限定はしないが、図１、図２、図３、図１０、および／または図１３に示されているような基地局１０５、図９に示されているようなデバイス９００、図１および／または図１０に示されているようなコアネットワーク１３０、および／または図１、図３、および／または図１０に示されているような制御装置１２０を含む。いくつかの実施形態において、基地局１０５および制御装置１２０は、別々のエンティティとして、または組み合わされたエンティティとして展開され得る。
【０１１２】
ブロック１４０５で、モビリティ管理を円滑にするための１つまたは複数のユーザ機器（ＵＥ）に対する第１のフレキシブル帯域幅キャリアに関する支援情報が決定され得る。帯域幅スケーリング係数が、第１のフレキシブル帯域幅キャリアに対する第１のフレキシブル帯域幅を生成するために利用され得る。ブロック１４１０で、第１のフレキシブル帯域幅キャリアに関する支援情報が、モビリティ管理を円滑にするために１つまたは複数のＵＥに送信され得る。
【０１１３】
いくつかの実施形態は、モビリティ管理を円滑にするために第１のフレキシブル帯域幅キャリアに関する支援情報を決定し、および／または送信することを含み、このことはモビリティ管理を円滑にするために第１のフレキシブル帯域幅キャリアに関連付けられている帯域幅スケーリング係数を決定し、および／または送信することを含み得る。モビリティ管理を円滑にするために第１のフレキシブル帯域幅キャリアに関する支援情報を決定し、および／または送信することは、第１のフレキシブル帯域幅キャリアの少なくとも１つまたは複数の識別子を含み得る、ＵＥ中心アプローチと整合している支援情報を決定し、および／または送信することを含むことができ、１つまたは複数の識別子は、第１のフレキシブル帯域幅キャリアの少なくともキャリア周波数またはＰＳＣを含むが、帯域幅スケーリング係数などの他のものも、ＵＥによって決定され得る。モビリティ管理を円滑にするために第１のフレキシブル帯域幅キャリアに関する支援情報を決定し、および／または送信することは、第１のフレキシブル帯域幅キャリアに関連付けられている少なくとも１つまたは複数の帯域幅スケーリング係数を含むネットワーク中心アプローチと整合している支援情報を決定し、および／または送信することを含み得る。モビリティ管理を円滑にするために第１のフレキシブル帯域幅キャリアに関する支援情報を決定し、および／または送信することは、第１のフレキシブル帯域幅キャリアを識別するために受信された情報が１つまたは複数のＰＬＭＮ  ＩＤを含むネットワーク中心ＰＬＭＮアプローチと整合している支援情報を決定し、および／または送信することを含み得る。モビリティ管理を円滑にするために第１のフレキシブル帯域幅キャリアに関する支援情報を決定し、および／または送信することは、第１のフレキシブル帯域幅キャリアに関する第１のフレキシブル帯域幅特有の情報などを含む、支援情報を伝達することができる、１つまたは複数のＳＩＢを決定し、および／または送信することを含み得る。モビリティ管理を円滑にするために第１のフレキシブル帯域幅キャリアに関する支援情報を決定し、および／または送信することは、少なくともＳＭＳ、データメッセージ、またはＯＭＡデバイス管理メッセージを第１のフレキシブル帯域幅キャリアに関連付けられている支援情報とともに含むアプリケーション層ベースの情報を決定し、および／または送信することを含み得る。
【０１１４】
いくつかの実施形態において、モビリティ管理を円滑にするための支援情報は、第１のフレキシブル帯域幅キャリアと第２のフレキシブル帯域幅キャリアとの間のモビリティを円滑にする。第１のフレキシブル帯域幅キャリアおよび第２のフレキシブル帯域幅キャリアは、同じ帯域幅スケーリング係数を利用することができる。第１のフレキシブル帯域幅キャリアおよび第２のフレキシブル帯域幅キャリアは、異なる帯域幅スケーリング係数を利用することができる。モビリティ管理を円滑にするための支援情報は、フレキシブル帯域幅キャリアと通常帯域幅キャリアとの間のモビリティを円滑にし得る。
【０１１５】
いくつかの実施形態は、モビリティ管理を円滑にするために１つまたは複数のユーザ機器に対する少なくとも第２のフレキシブル帯域幅キャリアに関する支援情報を決定することを含み得る。第２の帯域幅スケーリング係数が、第２のフレキシブル帯域幅キャリアに対するフレキシブル帯域幅を生成するために利用され得る。いくつかの実施形態は、モビリティ管理を円滑にするために１つまたは複数のＵＥに少なくとも第２のフレキシブル帯域幅キャリアに関する支援情報を送信することを含み得る。たとえば、いくつかの場合において、追加のフレキシブル帯域幅キャリアに関する支援情報が、１つまたは複数のＵＥに送信され得る。
【０１１６】
いくつかの実施形態は、モビリティ管理を円滑にするために１つまたは複数のＵＥに第１のフレキシブル帯域幅キャリアに関する支援情報を送信することを含み、支援情報を送信することは、第１のフレキシブル帯域幅キャリアと異なる第１の帯域幅キャリア上で実行される。第１のフレキシブル帯域幅キャリアと異なる第１の帯域幅キャリア上で支援情報を送信することは、通常帯域幅キャリア上で支援情報を送信することを含み得る。第１のフレキシブル帯域幅キャリアと異なる第１の帯域幅キャリア上で支援情報を送信することは、第２のフレキシブル帯域幅キャリア上で支援情報を送信することを含み得る。
【０１１７】
いくつかの実施形態では、第１のフレキシブル帯域幅キャリアは、第１のフレキシブル帯域幅セルに関連付けられる。
【０１１８】
図１５を参照すると示されているのは、様々な実施形態によるワイヤレス通信システムに対するモビリティ管理のための方法１５００の流れ図である。方法１５００は、様々なワイヤレス通信デバイスを利用して実装されるものとしてよく、これらは、限定はしないが、図１、図２、図３、図１０、図１２、および／または図１３に示されているようなユーザ機器１１５、および／または図１１に示されているようなデバイス１１００を含む。
【０１１９】
ブロック１５０５で、モビリティ管理を円滑にするための第１のフレキシブル帯域幅キャリアに関する支援情報が、受信され得る。帯域幅スケーリング係数が、第１のフレキシブル帯域幅キャリアに対する第１のフレキシブル帯域幅を生成するために利用され得る。ブロック１５１０で、第１のフレキシブル帯域幅キャリアに関する支援情報が、モビリティ管理を円滑にするために利用され得る。
【０１２０】
モビリティ管理を円滑にするための第１のフレキシブル帯域幅キャリアに関する支援情報を受信することは、モビリティ管理を円滑にするために第１のフレキシブル帯域幅キャリアに関連付けられている帯域幅スケーリング係数を受信することを含み得る。モビリティ管理を円滑にするための第１のフレキシブル帯域幅キャリアに関する支援情報を受信することは、第１のフレキシブル帯域幅キャリアの少なくとも１つまたは複数の識別子を含み得る、ＵＥ中心アプローチと整合している支援情報を受信することを含むことができ、１つまたは複数の識別子は、第１のフレキシブル帯域幅キャリアの少なくともキャリア周波数またはＰＳＣを含むが、帯域幅スケーリング係数などの他のものも、ＵＥによって決定される。モビリティ管理を円滑にするための第１のフレキシブル帯域幅キャリアに関する支援情報を受信することは、第１のフレキシブル帯域幅キャリアに関連付けられている少なくとも１つまたは複数の帯域幅スケーリング係数を含むネットワーク中心アプローチと整合している支援情報を受信することを含み得る。モビリティ管理を円滑にするための第１のフレキシブル帯域幅キャリアに関する支援情報を受信することは、第１のフレキシブル帯域幅キャリアを識別するために受信された情報が１つまたは複数のＰＬＭＮ  ＩＤを含むネットワーク中心ＰＬＭＮアプローチと整合している支援情報を受信することを含み得る。モビリティ管理を円滑にするための第１のフレキシブル帯域幅キャリアに関する支援情報を受信することは、第１のフレキシブル帯域幅キャリアに関する第１のフレキシブル帯域幅特有の情報などを含む、支援情報を伝達することができる、１つまたは複数のＳＩＢを受信することを含み得る。モビリティ管理を円滑にするための第１のフレキシブル帯域幅キャリアに関する支援情報を受信することは、少なくともＳＭＳ、データメッセージ、またはＯＭＡデバイス管理メッセージを第１のフレキシブル帯域幅キャリアに関連付けられている支援情報とともに含むアプリケーション層ベースの情報を受信することを含み得る。
【０１２１】
いくつかの実施形態において、モビリティ管理を円滑にするための支援情報は、第１のフレキシブル帯域幅キャリアと第２のフレキシブル帯域幅キャリア、または他のフレキシブル帯域幅キャリアとの間のモビリティを円滑にする。第１のフレキシブル帯域幅キャリアおよび第２のフレキシブル帯域幅キャリアは、同じ帯域幅スケーリング係数を利用することができる。第１のフレキシブル帯域幅キャリアおよび第２のフレキシブル帯域幅キャリアは、異なる帯域幅スケーリング係数を利用することができる。モビリティ管理を円滑にするための支援情報は、フレキシブル帯域幅キャリアと通常帯域幅キャリアとの間のモビリティを円滑にし得る。
【０１２２】
いくつかの実施形態は、モビリティ管理を円滑にするための第２のフレキシブル帯域幅キャリアに関する支援情報を受信することを含む。第２の帯域幅スケーリング係数が、第２のフレキシブル帯域幅キャリアに対するフレキシブル帯域幅を生成するために利用され得る。いくつかの実施形態は、モビリティ管理を円滑にするために第２のフレキシブル帯域幅キャリアに関する支援情報を利用することを含む。
【０１２３】
いくつかの実施形態において、モビリティ管理を円滑にするための第１のフレキシブル帯域幅キャリアに関する支援情報を受信することは、第１のフレキシブル帯域幅キャリアと異なる第１の帯域幅キャリア上で支援情報を受信することを含む。第１のフレキシブル帯域幅キャリアと異なる第１の帯域幅キャリア上で支援情報を受信することは、通常帯域幅キャリア上で支援情報を受信することを含み得る。第１のフレキシブル帯域幅キャリアと異なる第１の帯域幅キャリア上で支援情報を受信することは、第２のフレキシブル帯域幅キャリア上で支援情報を受信することを含み得る。
【０１２４】
いくつかの実施形態では、第１のフレキシブル帯域幅キャリアは、第１のフレキシブル帯域幅セルに関連付けられる。
【０１２５】
添付図面に関連して上で述べた詳細な説明は、例示的な実施形態を記述しているであって、実装できる、または請求項の範囲内にある、唯一の実施形態を表すものではない。本明細書全体を通して使用されている「例示的」という言い回しは、「例、場合、または実例として役立つ」ことを意味し、「好ましい」または「他の実施形態よりも有利である」ことを意味しない。詳細な説明は、説明されている技術の理解が得られるようにすることを目的とする具体的詳細を含む。しかし、これらの技術は、これらの具体的詳細がなくても実施され得る。いくつかの場合において、説明されている実施形態の概念をわかりにくくするのを避けるため、よく知られている構造およびデバイスはブロック図形式で示されている。
【０１２６】
情報および信号は、様々な異なる技術と技法とを使用して表すことができる。たとえば、上の説明全体を通して参照されていると思われるデータ、命令、コマンド、情報、信号、ビット、シンボル、およびチップは、電圧、電流、電磁波、磁場または磁気粒子、光場または光粒子、これらの組み合わせにより表すことができる。
【０１２７】
本明細書の開示に関して説明されている様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理デバイス、ディスクリートゲートまたはトランジスタロジック、ディスクリートハードウェアコンポーネント、または本明細書で説明されている機能を実行するように設計されているこれらの任意の組み合わせにより実装または実行することができる。汎用プロセッサは、マイクロプロセッサであってよいが、代替として、プロセッサは、任意の従来のプロセッサ、コントローラ、マイクロコントローラ、または状態機械であってよい。プロセッサは、コンピューティングデバイスの組み合わせ、たとえば、ＤＳＰとマイクロプロセッサの組み合わせ、複数のマイクロプロセッサ、ＤＳＰコアと連携する１つまたは複数のマイクロプロセッサ、または他のそのような構成としても実装され得る。
【０１２８】
本明細書で説明されている機能は、ハードウェア、プロセッサによって実行されるソフトウェア、ファームウェア、またはこれらの組み合わせで実装することができる。プロセッサによって実行されるソフトウェアで実装された場合、これらの機能は、コンピュータ可読媒体上で１つまたは複数の命令もしくはコードとして格納または送信され得る。他の例および実装は、本開示および付属の請求項の範囲および精神のうちにある。たとえば、ソフトウェアの性質により、上で説明されている機能は、プロセッサによって実行されるソフトウェア、ハードウェア、ファームウェア、ハード配線、またはこれらの組み合わせを使用して実装することができる。機能を実装する特徴は、機能の一部が異なる物理的ロケーションで実装されるように分散されることを含めて、様々な位置に物理的に配置することもできる。また、本明細書で使用されているように、請求項に、「のうちの少なくとも１つ」が後に続く項目の列挙の中で使用されるような「または」を含めることは、たとえば、「Ａ、Ｂ、またはＣのうちの少なくとも１つ」という列挙がＡまたはＢまたはＣまたはＡＢまたはＡＣまたはＢＣまたはＡＢＣ（すなわち、ＡおよびＢおよびＣ）を意味するような離接的列挙を示す。
【０１２９】
コンピュータ可読媒体は、一方の場所から別の場所へのコンピュータプログラムの転送を容易にする媒体を含むコンピュータ記憶媒体と通信媒体の両方を含む。記憶媒体は、汎用または専用コンピュータによってアクセスされ得る利用可能な任意の媒体とすることができる。例として、限定はしないが、コンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置、または他の磁気記憶デバイス、または命令もしくはデータ構造体の形態で所望のプログラムコード手段を搬送または格納するために使用することができ、また汎用もしくは専用コンピュータまたは汎用もしくは専用プロセッサによってアクセスできる他の媒体を備えることができる。また、任意の接続を、コンピュータ可読媒体と呼んで差し支えない。たとえば、ソフトウェアが同軸ケーブル、光ファイバケーブル、ツイストペア線、デジタル加入者回線（ＤＳＬ）、または赤外線、ラジオ、およびマイクロ波などのワイヤレス技術を使用してウェブサイト、サーバ、または他のリモートソースから送信される場合、同軸ケーブル、光ファイバケーブル、ツイストペア線、ＤＳＬ、または赤外線、ラジオ、およびマイクロ波などのワイヤレス技術は、媒体の定義に含まれる。本明細書で使用されているような、「Ｄｉｓｋ」（ディスク）と「Ｄｉｓｃ」（ディスク）は、コンパクトディスク（ＣＤ）とレーザーディスク（登録商標）と光ディスクとデジタル多用途ディスク（ＤＶＤ）とフロッピー（登録商標）ディスクとｂｌｕ−ｒａｙ（登録商標）ディスクとを含み、「Ｄｉｓｋ」は通常磁気的にデータを再現し、「Ｄｉｓｃ」はレーザーを使って光学的にデータを再現する。上記の組み合わせも、コンピュータ可読媒体の範囲内に含まれる。
【０１３０】
本開示の前記の説明は、当業者が本開示内容を製作または使用することができるようにするために提示されている。開示に対し様々な修正を加えられることは、当業者であればたやすく理解できるであろうし、また本明細書で定義されている一般原理は、本開示の精神または範囲から逸脱することなく他の変更形態にも適用することができる。本開示全体を通して、「例」または「例示的」という言い回しは、例または事例を示し、指示されている例が優先することを暗示することも要求することもしない。そのため、本開示は、本明細書で説明されている実施例および設計に限定されず、本明細書で開示されている原理および新規性のある特徴と一致する最も広い範囲を適用されるものとする。
以下に本願出願当初の特許請求の範囲を付記する。
[Ｃ１]  ワイヤレス通信システムに対するモビリティ管理の方法であって、
モビリティ管理を円滑にするための１つまたは複数のユーザ機器（ＵＥ）に対する第１のフレキシブル帯域幅キャリアに関する支援情報を決定することであって、前記第１のフレキシブル帯域幅キャリアに対する第１のフレキシブル帯域幅を生成するために帯域幅スケーリング係数が利用される、決定することと、
前記モビリティ管理を円滑にするために前記１つまたは複数のＵＥに前記第１のフレキシブル帯域幅キャリアに関する前記支援情報を送信することとを備える、方法。
[Ｃ２]  前記モビリティ管理を円滑にするために前記１つまたは複数のＵＥに対して前記第１のフレキシブル帯域幅キャリアに関する前記支援情報を送信することは、
前記モビリティ管理を円滑にするために前記１つまたは複数のＵＥに対して前記第１のフレキシブル帯域幅キャリアに関連付けられている前記帯域幅スケーリング係数を送信することを備えるＣ１に記載の方法。
[Ｃ３]  前記モビリティ管理を円滑にするために前記１つまたは複数のＵＥに対して前記第１のフレキシブル帯域幅キャリアに関する前記支援情報を送信することは、
前記第１のフレキシブル帯域幅キャリアの少なくとも１つまたは複数の識別子を含むＵＥ中心アプローチと整合している支援情報を送信することを備え、前記１つまたは複数の識別子は、前記第１のフレキシブル帯域幅キャリアの少なくともキャリア周波数またはプライマリスクランブリングコードを含む、Ｃ１に記載の方法。
[Ｃ４]  前記モビリティ管理を円滑にするために前記１つまたは複数のＵＥに対して前記第１のフレキシブル帯域幅キャリアに関する前記支援情報を送信することは、
前記第１のフレキシブル帯域幅キャリアに関連付けられている少なくとも１つまたは複数の帯域幅スケーリング係数を含むネットワーク中心アプローチと整合している支援情報を送信することを備えるＣ１に記載の方法。
[Ｃ５]  前記モビリティ管理を円滑にするために前記１つまたは複数のＵＥに対して前記第１のフレキシブル帯域幅キャリアに関する前記支援情報を送信することは、
前記第１のフレキシブル帯域幅キャリアを識別するために１つまたは複数のＰＬＭＮ  ＩＤを含むネットワーク中心アプローチと整合している支援情報を決定することを備えるＣ１に記載の方法。
[Ｃ６]  前記モビリティ管理を円滑にするために前記１つまたは複数のＵＥに対して前記第１のフレキシブル帯域幅キャリアに関する前記支援情報を送信することは、
前記第１のフレキシブル帯域幅キャリアに関する前記支援情報を伝達するために１つまたは複数のＳＩＢを送信することを備えるＣ１に記載の方法。
[Ｃ７]  前記モビリティ管理を円滑にするために前記１つまたは複数のＵＥに対して前記第１のフレキシブル帯域幅キャリアに関する前記支援情報を送信することは、
少なくともＳＭＳ、データメッセージ、またはＯＭＡデバイス管理メッセージを前記第１のフレキシブル帯域幅キャリアに関連付けられている支援情報とともに含むアプリケーション層ベースの情報を送信することを備えるＣ１に記載の方法。
[Ｃ８]  前記モビリティ管理を円滑にするための前記支援情報は、前記第１のフレキシブル帯域幅キャリアと第２のフレキシブル帯域幅キャリアとの間のモビリティを円滑にし、前記第１のフレキシブル帯域幅キャリアおよび前記第２のフレキシブル帯域幅キャリアは、同じ帯域幅スケーリング係数を利用するＣ１に記載の方法。
[Ｃ９]  前記モビリティ管理を円滑にするための前記支援情報は、前記第１のフレキシブル帯域幅キャリアと第２のフレキシブル帯域幅キャリアとの間のモビリティを円滑にし、前記第１のフレキシブル帯域幅キャリアおよび前記第２のフレキシブル帯域幅キャリアは、異なる帯域幅スケーリング係数を利用するＣ１に記載の方法。
[Ｃ１０]  前記モビリティ管理を円滑にするための前記支援情報は、前記第１のフレキシブル帯域幅キャリアと通常帯域幅キャリアとの間のモビリティを円滑にするＣ１に記載の方法。
[Ｃ１１]  前記モビリティ管理を円滑にするための前記ＵＥに対する少なくとも第２のフレキシブル帯域幅キャリアに関する支援情報を決定することであって、前記第２のフレキシブル帯域幅キャリアに対するフレキシブル帯域幅を生成するために第２の帯域幅スケーリング係数が利用される、決定することと、
前記モビリティ管理を円滑にするために前記１つまたは複数のＵＥに少なくとも前記第２のフレキシブル帯域幅キャリアに関する前記支援情報を送信することとを備えるＣ１に記載の方法。
[Ｃ１２]  前記モビリティ管理を円滑にするために前記１つまたは複数のＵＥに前記第１のフレキシブル帯域幅キャリアに関する前記支援情報を送信することは、
前記第１のフレキシブル帯域幅キャリアと異なる第１の帯域幅キャリア上で前記支援情報を送信することを備えるＣ１に記載の方法。
[Ｃ１３]  前記第１のフレキシブル帯域幅キャリアと異なる前記第１の帯域幅キャリア上で前記支援情報を送信することは、
通常帯域幅キャリア上で前記支援情報を送信することを備えるＣ１２に記載の方法。
[Ｃ１４]  前記第１のフレキシブル帯域幅キャリアと異なる前記第１の帯域幅キャリア上で前記支援情報を送信することは、
第２のフレキシブル帯域幅キャリア上で前記支援情報を送信することを備えるＣ１２に記載の方法。
[Ｃ１５]  前記第１のフレキシブル帯域幅キャリアは、第１のフレキシブル帯域幅セルに関連付けられるＣ１に記載の方法。
[Ｃ１６]  ワイヤレス通信システムに対するモビリティ管理の方法であって、
前記モビリティ管理を円滑にするための第１のフレキシブル帯域幅キャリアに関する支援情報を受信することであって、前記第１のフレキシブル帯域幅キャリアに対する第１のフレキシブル帯域幅を生成するために帯域幅スケーリング係数が利用される、受信することと、
前記モビリティ管理を円滑にするための前記第１のフレキシブル帯域幅キャリアに関する前記支援情報を利用することとを備える方法。
[Ｃ１７]  前記モビリティ管理を円滑にするために前記第１のフレキシブル帯域幅キャリアに関する前記支援情報を受信することは、
前記モビリティ管理を円滑にするために前記第１のフレキシブル帯域幅キャリアに関連付けられている前記帯域幅スケーリング係数を受信することを備えるＣ１６に記載の方法。
[Ｃ１８]  前記モビリティ管理を円滑にするために前記第１のフレキシブル帯域幅キャリアに関する前記支援情報を受信することは、
前記第１のフレキシブル帯域幅キャリアの少なくとも１つまたは複数の識別子を含むＵＥ中心アプローチと整合している支援情報を受信することを備え、前記１つまたは複数の識別子は、前記第１のフレキシブル帯域幅キャリアの少なくともキャリア周波数またはプライマリスクランブリングコードを含む、Ｃ１６に記載の方法。
[Ｃ１９]  前記モビリティ管理を円滑にするために前記第１のフレキシブル帯域幅キャリアに関する前記支援情報を受信することは、
前記第１のフレキシブル帯域幅キャリアに関連付けられている少なくとも１つまたは複数の帯域幅スケーリング係数を含むネットワーク中心アプローチと整合している支援情報を受信することを備えるＣ１６に記載の方法。
[Ｃ２０]  前記モビリティ管理を円滑にするために前記第１のフレキシブル帯域幅キャリアに関する前記支援情報を受信することは、
前記第１のフレキシブル帯域幅キャリアを識別するために１つまたは複数のＰＬＭＮ  ＩＤを含むネットワーク中心アプローチと整合している支援情報を受信することを備えるＣ１６に記載の方法。
[Ｃ２１]  前記モビリティ管理を円滑にするために前記第１のフレキシブル帯域幅キャリアに関する前記支援情報を受信することは、
前記第１のフレキシブル帯域幅キャリアに関する前記支援情報を伝達する１つまたは複数のＳＩＢを受信することを備えるＣ１６に記載の方法。
[Ｃ２２]  前記モビリティ管理を円滑にするために前記第１のフレキシブル帯域幅キャリアに関する前記支援情報を受信することは、
少なくともＳＭＳ、データメッセージ、またはＯＭＡデバイス管理メッセージを前記第１のフレキシブル帯域幅キャリアに関連付けられている支援情報とともに含むアプリケーション層ベースの情報を受信することを備えるＣ１６に記載の方法。
[Ｃ２３]  前記モビリティ管理を円滑にするための前記支援情報は、前記第１のフレキシブル帯域幅キャリアと第２のフレキシブル帯域幅キャリアとの間のモビリティを円滑にし、前記第１のフレキシブル帯域幅キャリアおよび前記第２のフレキシブル帯域幅キャリアは、同じ帯域幅スケーリング係数を利用するＣ１６に記載の方法。
[Ｃ２４]  前記モビリティ管理を円滑にするための前記支援情報は、前記第１のフレキシブル帯域幅キャリアと第２のフレキシブル帯域幅キャリアとの間のモビリティを円滑にし、前記第１のフレキシブル帯域幅キャリアおよび前記第２のフレキシブル帯域幅キャリアは、異なる帯域幅スケーリング係数を利用するＣ１６に記載の方法。
[Ｃ２５]  前記モビリティ管理を円滑にするための前記支援情報は、前記フレキシブル帯域幅キャリアと通常帯域幅キャリアとの間のモビリティを円滑にするＣ１６に記載の方法。
[Ｃ２６]  前記モビリティ管理を円滑にするための少なくとも第２のフレキシブル帯域幅キャリアに関する支援情報を受信することであって、前記第２のフレキシブル帯域幅キャリアに対するフレキシブル帯域幅を生成するために第２の帯域幅スケーリング係数が利用される、受信することと、
前記モビリティ管理を円滑にするための少なくとも前記第２のフレキシブル帯域幅キャリアに関する前記支援情報を利用することとをさらに備えるＣ１６に記載の方法。
[Ｃ２７]  前記モビリティ管理を円滑にするために前記第１のフレキシブル帯域幅キャリアに関する前記支援情報を受信することは、
前記第１のフレキシブル帯域幅キャリアと異なる第１の帯域幅キャリア上で前記支援情報を受信することを備えるＣ１６に記載の方法。
[Ｃ２８]  前記第１のフレキシブル帯域幅キャリアと異なる前記第１の帯域幅キャリア上で前記支援情報を受信することは、
通常帯域幅キャリア上で前記支援情報を受信することを備えるＣ２７に記載の方法。
[Ｃ２９]  前記第１のフレキシブル帯域幅キャリアと異なる前記第１の帯域幅キャリア上で前記支援情報を受信することは、
第２のフレキシブル帯域幅キャリア上で前記支援情報を受信することを備えるＣ２７に記載の方法。
[Ｃ３０]  前記第１のフレキシブル帯域幅キャリアは、第１のフレキシブル帯域幅セルに関連付けられるＣ１６に記載の方法。
[Ｃ３１]  前記支援情報を受信することおよび前記支援情報を利用することは、ユーザ機器（ＵＥ）において行われるＣ１６に記載の方法。
[Ｃ３２]  ワイヤレス通信に対してモビリティ管理を行うように構成されたワイヤレス通信システムであって、
前記モビリティ管理を円滑にするための１つまたは複数のユーザ機器（ＵＥ）に対する第１のフレキシブル帯域幅キャリアに関する支援情報を決定するための手段であって、前記第１のフレキシブル帯域幅キャリアに対する第１のフレキシブル帯域幅を生成するために帯域幅スケーリング係数が利用される、手段と、
前記モビリティ管理を円滑にするために前記１つまたは複数のＵＥに前記第１のフレキシブル帯域幅キャリアに関する前記支援情報を送信するための手段とを備えるワイヤレス通信システム。
[Ｃ３３]  前記モビリティ管理を円滑にするための前記１つまたは複数のＵＥに対する少なくとも第２のフレキシブル帯域幅キャリアに関する支援情報を決定するための手段であって、前記第２のフレキシブル帯域幅キャリアに対するフレキシブル帯域幅を生成するために第２の帯域幅スケーリング係数が利用される、手段と、
前記モビリティ管理を円滑にするために前記１つまたは複数のＵＥに少なくとも前記第２のフレキシブル帯域幅キャリアに関する前記支援情報を送信する手段とを備えるＣ３２に記載のワイヤレス通信システム。
[Ｃ３４]  前記モビリティ管理を円滑にするために前記１つまたは複数のＵＥに前記第１のフレキシブル帯域幅キャリアに関する前記支援情報を送信するための前記手段は、
前記第１のフレキシブル帯域幅キャリアと異なる第１の帯域幅キャリア上で前記支援情報を送信するための手段を備えるＣ３２に記載のワイヤレス通信システム。
[Ｃ３５]  前記第１のフレキシブル帯域幅キャリアと異なる前記第１の帯域幅キャリア上で前記支援情報を送信するための前記手段は、
通常帯域幅キャリア上で前記支援情報を送信するための手段を備えるＣ３４に記載のワイヤレス通信システム。
[Ｃ３６]  前記第１のフレキシブル帯域幅キャリアと異なる前記第１の帯域幅キャリア上で前記支援情報を送信するための前記手段は、
第２のフレキシブル帯域幅キャリア上で前記支援情報を送信するための手段を備えるＣ３４に記載のワイヤレス通信システム。
[Ｃ３７]  ワイヤレス通信システムに対するモビリティ管理のためのコンピュータプログラム製品であって、
前記モビリティ管理を円滑にするための１つまたは複数のユーザ機器（ＵＥ）に対する第１のフレキシブル帯域幅キャリアに関する支援情報を決定するためのコードであって、前記第１のフレキシブル帯域幅キャリアに対する第１のフレキシブル帯域幅を生成するために帯域幅スケーリング係数が利用される、コードと、
前記モビリティ管理を円滑にするために前記１つまたは複数のＵＥに前記第１のフレキシブル帯域幅キャリアに関する前記支援情報を送信するためのコードとを備える非一時的なコンピュータ可読媒体を備えるコンピュータプログラム製品。
[Ｃ３８]  前記非一時的なコンピュータ可読媒体は、
前記モビリティ管理を円滑にするための前記１つまたは複数のＵＥに対する少なくとも第２のフレキシブル帯域幅キャリアに関する支援情報を決定するためのコードであって、前記第２のフレキシブル帯域幅キャリアに対するフレキシブル帯域幅を生成するために第２の帯域幅スケーリング係数が利用される、コードと、
前記モビリティ管理を円滑にするために前記１つまたは複数のＵＥに少なくとも前記第２のフレキシブル帯域幅キャリアに関する前記支援情報を送信するためのコードとをさらに備えるＣ３７に記載のコンピュータプログラム製品。
[Ｃ３９]  前記モビリティ管理を円滑にするために前記１つまたは複数のＵＥに前記第１のフレキシブル帯域幅キャリアに関する前記支援情報を送信するための前記コードは、
前記第１のフレキシブル帯域幅キャリアと異なる第１の帯域幅キャリア上で前記支援情報を送信するためのコードを備えるＣ３７に記載のコンピュータプログラム製品。
[Ｃ４０]  前記第１のフレキシブル帯域幅キャリアと異なる前記第１の帯域幅キャリア上で前記支援情報を送信する前記コードは、
通常帯域幅キャリア上で前記支援情報を送信するためのコードを備えるＣ３９に記載のコンピュータプログラム製品。
[Ｃ４１]  前記第１のフレキシブル帯域幅キャリアと異なる前記第１の帯域幅キャリア上で前記支援情報を送信するための前記コードは、
第２のフレキシブル帯域幅キャリア上で前記支援情報を送信するためのコードを備えるＣ３９に記載のコンピュータプログラム製品。
[Ｃ４２]  ワイヤレス通信システムに対してモビリティ管理を行うように構成されたワイヤレス通信デバイスであって、
前記モビリティ管理を円滑にするための１つまたは複数のユーザ機器（ＵＥ）に対する第１のフレキシブル帯域幅キャリアに関する支援情報を決定することであって、前記第１のフレキシブル帯域幅キャリアに対する第１のフレキシブル帯域幅を生成するために帯域幅スケーリング係数が利用される、決定することと、
前記モビリティ管理を円滑にするために前記１つまたは複数のＵＥに前記第１のフレキシブル帯域幅キャリアに関する前記支援情報を送信することとを行うように構成された少なくとも１つのプロセッサと、
前記少なくとも１つのプロセッサに結合された少なくとも１つのメモリとを備えるワイヤレス通信デバイス。
[Ｃ４３]  前記少なくとも１つのプロセッサは、
前記モビリティ管理を円滑にするための前記１つまたは複数のＵＥに対する少なくとも第２のフレキシブル帯域幅キャリアに関する支援情報を決定することであって、前記第２のフレキシブル帯域幅キャリアに対するフレキシブル帯域幅を生成するために第２の帯域幅スケーリング係数が利用される、決定することと、
前記モビリティ管理を円滑にするために前記１つまたは複数のＵＥに少なくとも前記第２のフレキシブル帯域幅キャリアに関する前記支援情報を送信することとを行うようにさらに構成されるＣ４２に記載のワイヤレス通信デバイス。
[Ｃ４４]  前記モビリティ管理を円滑にするために前記１つまたは複数のＵＥに前記第１のフレキシブル帯域幅キャリアに関する前記支援情報を送信するように構成された前記少なくとも１つのプロセッサは、
前記第１のフレキシブル帯域幅キャリアと異なる第１の帯域幅キャリア上で前記支援情報を送信するように構成されるＣ４２に記載のワイヤレス通信デバイス。
[Ｃ４５]  前記第１のフレキシブル帯域幅キャリアと異なる前記第１の帯域幅キャリア上で前記支援情報を送信するように構成された前記少なくとも１つのプロセッサは、
通常帯域幅キャリア上で前記支援情報を送信するように構成されるＣ４４に記載のワイヤレス通信デバイス。
[Ｃ４６]  前記第１のフレキシブル帯域幅キャリアと異なる前記第１の帯域幅キャリア上で前記支援情報を送信するように構成された前記少なくとも１つのプロセッサは、
第２のフレキシブル帯域幅キャリア上で前記支援情報を送信するように構成されるＣ４４に記載のワイヤレス通信デバイス。
[Ｃ４７]  ワイヤレス通信に対してモビリティ管理を行うように構成されたワイヤレス通信システムであって、
前記モビリティ管理を円滑にするための第１のフレキシブル帯域幅キャリアに関する支援情報を受信するための手段であって、前記第１のフレキシブル帯域幅キャリアに対する第１のフレキシブル帯域幅を生成するために帯域幅スケーリング係数が利用される、手段と、
前記モビリティ管理を円滑にするための前記第１のフレキシブル帯域幅キャリアに関する前記支援情報を利用するための手段とを備えるワイヤレス通信システム。
[Ｃ４８]  前記モビリティ管理を円滑にするために前記第１のフレキシブル帯域幅キャリアに関する前記支援情報を受信するための前記手段は、
前記第１のフレキシブル帯域幅キャリアと異なる第１の帯域幅キャリア上で前記支援情報を受信するための手段を備えるＣ４７に記載のワイヤレス通信システム。
[Ｃ４９]  前記第１のフレキシブル帯域幅キャリアと異なる前記第１の帯域幅キャリア上で前記支援情報を受信するための前記手段は、
通常帯域幅キャリア上で前記支援情報を受信するための手段を備えるＣ４８に記載のワイヤレス通信システム。
[Ｃ５０]  前記第１のフレキシブル帯域幅キャリアと異なる前記第１の帯域幅キャリア上で前記支援情報を受信するための前記手段は、
第２のフレキシブル帯域幅キャリア上で前記支援情報を受信するための手段を備えるＣ４８に記載のワイヤレス通信システム。
[Ｃ５１]  ワイヤレス通信システムに対するモビリティ管理のためのコンピュータプログラム製品であって、
前記モビリティ管理を円滑にするための第１のフレキシブル帯域幅キャリアに関する支援情報を受信するためのコードであって、前記第１のフレキシブル帯域幅キャリアに対する第１のフレキシブル帯域幅を生成するために帯域幅スケーリング係数が利用される、コードと、
前記モビリティ管理を円滑にするための前記第１のフレキシブル帯域幅キャリアに関する前記支援情報を利用するためのコードとを備える非一時的なコンピュータ可読媒体を備えるコンピュータプログラム製品。
[Ｃ５２]  前記モビリティ管理を円滑にするために前記第１のフレキシブル帯域幅キャリアに関する前記支援情報を受信するための前記コードは、
前記第１のフレキシブル帯域幅キャリアと異なる第１の帯域幅キャリア上で前記支援情報を受信するためのコードを備えるＣ５１に記載のコンピュータプログラム製品。
[Ｃ５３]  前記第１のフレキシブル帯域幅キャリアと異なる前記第１の帯域幅キャリア上で前記支援情報を受信するための前記コードは、
通常帯域幅キャリア上で前記支援情報を受信するためのコードを備えるＣ５２に記載のコンピュータプログラム製品。
[Ｃ５４]  前記第１のフレキシブル帯域幅キャリアと異なる前記第１の帯域幅キャリア上で前記支援情報を受信するための前記コードは、
第２のフレキシブル帯域幅キャリア上で前記支援情報を受信するためのコードを備えるＣ５２に記載のコンピュータプログラム製品。
[Ｃ５５]  ワイヤレス通信システムに対してモビリティ管理を行うように構成されたワイヤレス通信デバイスであって、
前記モビリティ管理を円滑にするための第１のフレキシブル帯域幅キャリアに関する支援情報を受信することであって、前記第１のフレキシブル帯域幅キャリアに対する第１のフレキシブル帯域幅を生成するために帯域幅スケーリング係数が利用される、受信することと、
前記モビリティ管理を円滑にするための前記第１のフレキシブル帯域幅キャリアに関する前記支援情報を利用することとを行うように構成された少なくとも１つのプロセッサと、
前記少なくとも１つのプロセッサに結合された少なくとも１つのメモリとを備えるワイヤレス通信デバイス。
[Ｃ５６]  前記モビリティ管理を円滑にするために前記第１のフレキシブル帯域幅キャリアに関する前記支援情報を受信するように構成された前記少なくとも１つのプロセッサは、
前記第１のフレキシブル帯域幅キャリアと異なる第１の帯域幅キャリア上で前記支援情報を受信するように構成されるＣ５５に記載のワイヤレス通信デバイス。
[Ｃ５７]  前記第１のフレキシブル帯域幅キャリアと異なる前記第１の帯域幅キャリア上で前記支援情報を受信するように構成された前記少なくとも１つのプロセッサは、
通常帯域幅キャリア上で前記支援情報を受信するように構成されるＣ５６に記載のワイヤレス通信デバイス。
[Ｃ５８]  前記第１のフレキシブル帯域幅キャリアと異なる前記第１の帯域幅キャリア上で前記支援情報を受信するように構成された前記少なくとも１つのプロセッサは、
第２のフレキシブル帯域幅キャリア上で前記支援情報を受信するように構成されるＣ５６に記載のワイヤレス通信デバイス。
【図１】
0005886441.tif 000002
【図２Ａ】
0005886441.tif 000003
【図２Ｂ】
0005886441.tif 000004
【図３】
0005886441.tif 000005
【図４】
0005886441.tif 000006
【図５】
0005886441.tif 000007
【図６Ａ】
0005886441.tif 000008
【図６Ｂ】
0005886441.tif 000009
【図６Ｃ】
0005886441.tif 000010
【図７】
0005886441.tif 000011
【図８】
0005886441.tif 000012
【図９】
0005886441.tif 000013
【図１０】
0005886441.tif 000014
【図１１】
0005886441.tif 000015
【図１２】
0005886441.tif 000016
【図１３】
0005886441.tif 000017
【図１４】
0005886441.tif 000018
【図１５】
0005886441.tif 000019